(57)【要約】【課題】１〜複数のファイルに対する複数の操作モードを簡単な操作手順でもって実行可能とする。【解決手段】ファイル管理画面２０のファイル領域２１には、複数のファイルアイコン２１ａ〜２１ｃが、フォルダ領域２２には、複数のフォルダアイコン２２ａ，２２ｂが夫々表示され、ファイル領域２１とフォルダ領域２２との間に操作モードのアイコン２３，２４が表示されている。そして、図２（ｂ）に示すように、カーソル２７で希望のファイルアイコン２１ａを選択して、図２（ｃ）に示すように、「コピー」モードアイコン２３を介してドラッグし、図２（ｄ）に示すよう、フォルダ領域２２でのコピー先のフォルダアイコン２２ａに進めると、図２（ｅ）に示すように、ファイルアイコン２１ａがフォルダアイコン２２ａ内に入り、ドロップ操作すると、ファイルのフォルダへのコピーが行なわれる。【選択図】図２
2008090361.tif 000002
【特許請求の範囲】
【請求項１】
操作デバイスを備えた装置での表示部に画面を表示し、該操作デバイスを操作することによって該画面上で操作ができるようにした画面操作方法において、
該画面上に、１以上のファイルアイコンと所定の機能モードを実行させるための１以上の機能モードアイコンと該ファイルアイコンのいずれかを指定するファイル用のカーソルとが表示され、
該操作デバイスは、該ファイルアイコンの１つを該ファイルカーソルでもって選択するためのファイルカーソル移動手段と、該機能モードアイコンに対するスライド部とからなるモード操作部を有し、
該ファイルカーソル移動手段を操作することにより、該ファイル用のカーソルを該画面上で移動させて該ファイルアイコンのいずれかを指定し、該スライド部で指先をスライドさせることにより、該指定されたファイルアイコンのファイルに対して、該機能モードアイコンに対する機能モードを実行させることを特徴とする画面操作方法。
【請求項２】
請求項１において、
前記ファイルカーソル移動手段は、スクロールボタンまたはスクロールホイールであることを特徴とする画面操作方法。
【請求項３】
請求項１において、
前記ファイルカーソル移動手段は、スライド部であることを特徴とする画面操作方法。
【請求項４】
操作デバイスを備えた装置での表示部に画面を表示し、該操作デバイスを操作することによって該画面上で操作ができるようにした画面操作方法において、
該画面上に、１以上のファイルアイコンと所定の機能モードを実行させるための１以上の機能モードアイコンと該ファイルアイコンのいずれかを指定するファイル用のカーソルとが表示され、
該操作デバイスは、該ファイルアイコンの１つを該ファイルカーソルでもって選択するための第１のスライド部と、該機能モードアイコンに対する第２のスライド部とからなるモード操作部を有し、
該第１のスライド部で指先をスライドさせることにより、該ファイル用のカーソルを該画面上で移動させて該ファイルアイコンのいずれかを指定し、該第２のスライド部で指先をスライドさせることにより、該第２のスライド部に対応する該機能モードアイコンを機能モード用カーソルで指定し、該指定されたファイルアイコンのファイルに対して、該指定された機能モードアイコンに対する機能モードを実行させることを特徴とする画面操作方法。
【請求項５】
請求項４において、
前記画面には、前記ファイルアイコンに対するファイルが設定可能なフォルダのフォルダアイコンが１以上表示され、
前記モード操作部には、該フォルダアイコンの１つをフォルダカーソルでもって選択するための第３のスライド部を有することを特徴とする画面操作方法。
【請求項６】
請求項４において、
前記第１のスライド部は縦長の領域であり、
前記第２のスライド部は前記第１のスライド部に一端が連結した横長の領域であることを特徴とする画面操作方法。
【請求項７】
請求項５において、
前記第１のスライド部は縦長の領域であり、
前記第２のスライド部はその一方の端部が前記第１のスライド部に連結した横長の領域であり、
前記第３のスライド部は前記第２のスライド部の他方の端部が連結した縦長の領域であることを特徴とする画面操作方法。
【請求項８】
操作デバイスを備えた装置での表示部に画面を表示し、該操作デバイスを操作することによって該画面上で操作ができるようにした画面操作方法において、
該画面上に、１以上のファイルアイコンと、所定の機能モードを実行させるための１以上の機能モードアイコンと、該ファイルアイコンのいずれかを指定するファイル用のカーソルと、該機能モードアイコンのいずれかを指定する機能モード用カーソルとが表示され、
該操作デバイスは、該ファイルアイコンのいずれか１つを該ファイルカーソルでもって選択するための第１のスライド部と、該機能モードアイコンに対する第２のスライド部と、該機能モードアイコンのいずれか１つを該機能モード用カーソルでもって選択するための第３のスライド部からなるモード操作部を有し、
該第１のスライド部で指先をスライドさせることにより、該ファイル用のカーソルを該画面上で移動させて該ファイルアイコンのいずれかを指定し、
該第３のスライド部で指先をスライドさせることにより、該機能モード用カソルを該画面上で移動させて該機能モードアイコンいずれかを指定し、
該第２のスライド部で指先をスライドさせることにより、該指定されたファイルアイコンのファイルに対して、該機能モード用カーソルで指定された該機能モードアイコンに対する機能モードを実行させることを特徴とする画面操作方法。
【請求項９】
請求項８において、
前記画面には、前記ファイルアイコンに対するファイルが設定可能なフォルダの前記フォルダアイコンが１以上表示され、
前記モード操作部には、該フォルダアイコンの１つをフォルダカーソルでもって選択するための第４のスライド部を有することを特徴とする画面操作方法。
【請求項１０】
請求項８において、
前記第１のスライド部は、縦長の領域であり、
前記第２のスライド部は、その一端が前記第１のスライド部に連結した横長の領域であることを特徴とする画面操作方法。
【請求項１１】
請求項９において、
前記第１のスライド部は、縦長の領域であり、
前記第３のスライド部は、前記第１のスライド部に平行な縦長の領域であり、
前記第２のスライド部は、夫々の端部が前記第１のスライド部と前記第２のスライド部とに連結した横長の領域であり、
前記第４のスライド部は、前記第１，第３のスライド部間に配置され、前記第２のスライド部と交差する縦長の領域であることを特徴とする画面操作方法。
【請求項１２】
請求項９において、
前記第１，第３のスライド部は半円状の細長い領域であって、前記第１，第３のスライド部によって円状の細い領域をなし、
前記第２のスライド部は、前記第１，第３のスライド領域の該円状の細い領域の内側で夫々の端部が該円状の細い領域の内側に連結した横長の領域であり、
前記第４のスライド部は、前記第１，第３のスライド領域の該円状の細い領域の内側で夫々の端部が該円状の細い領域の内側に連結し、かつ前記第２のスライド部と交差する縦長の領域であることを特徴とする画面操作方法。
【請求項１３】
請求項８〜１２のいずれか１つにおいて、
前記第２のスライド部に、指先のスライドを禁止可能とする上下可能なストップ片を設け、
該ストップ辺によって指先のスライドが禁止された前記第２のスライド部に対応する機能モードの実行を禁止することを特徴とする画面操作方法。
【請求項１４】
操作デバイスを備えた装置での表示部に画面を表示し、該操作デバイスを操作することによって該画面上で操作ができるようにした画面操作方法において、
該画面上に、１以上のファイルアイコンと、該ファイルアイコンに対するファイルが設定可能な１以上のフォルダのフォルダアイコンと、所定の機能モードを実行させるための１以上の機能モードアイコンと、該ファイルアイコンのいずれかを指定するファイル用カーソルと、該フォルダアイコンのいずれかを指定するフォルダ用カーソルと、該機能モードアイコンのいずれかを指定する機能モード用カーソルとが表示され、
該操作デバイスは、該ファイルアイコンのいずれか１つを該ファイルカーソルでもって選択するための第１のスライド部と、該フォルダアイコンのいずれか１つを該フォルダカーソルでもって選択するための第２のスライド部と、該第１，第２のスライド部間に配置された該機能モードアイコンに対する第３のスライド部とからなるモード操作部を有し、
該第１のスライド部で指先をスライドさせることにより、該ファイル用カーソルを該画面上で移動させて該ファイルアイコンのいずれかを指定し、
該第２のスライド部で指先をスライドさせることにより、該フォルダ用カーソルを該画面上で移動させて該フォルダアイコンのいずれかを指定し、
該第１のスライド部でのスライド操作によって該ファイルアイコンのいずれかが指定され、該第２のスライド部でのスライド操作によって該フォルダアイコンのいずれかが指定された後、該第１のスライド部から該第３のスライド部を介して該第２のスライド部へのスライド操作により、該画面上でスライド操作された該第３のスライド部を該機能モードアイコンで指定した状態に表示し、指定された該ファイルアイコンに対するファイルに対し、指定した該フォルダアイコンに対するフォルダで、スライド操作された該第３のスライド部に対する機能モードを実行させることを特徴とする画面操作方法。
【請求項１５】
請求項１４において、
前記画面に前記ファイルアイコンを複数含むファイル指定領域カーソルを表示し、
前記ファイル用カーソルは該ファイル指定領域カーソル内に表示されて、前記第１のスライド部でのスライド操作によるファイルアイコンの指定は、該ファイル指定領域カーソル内の前記ファイルアイコンに対して行なわれることを特徴とする画面操作方法。
【請求項１６】
請求項１５において、
前記ファイル指定領域カーソル内で複数の前記ファイルカーソルを指定可能であって、前記第３のスライド部のスライド操作により、指定された前記複数のファイルアイコンに対するファイルを同時に前記選択されたフォルダアイコンに対するフォルダに設定可能としたことを特徴とする画面操作方法。
【発明の詳細な説明】
【技術分野】
【０００１】
本発明は、ＰＣ（パーソナルコンピュータ）や携帯機器，ＴＶ（テレビ）受像機などでの画面操作方法に係り、特に、情報（ファイル）をコピーしたり、他のフォルダや記録媒体に移動させたり、閲覧したりするための画面操作方法に関する。
【背景技術】
【０００２】
近年、ＴＶ受像機やビデオ機器などでは、大容量のハードディスクが使用されるようになってきており、ＴＶ番組などの情報を簡単にかつ大容量に録画することができるようになってきている。このため、ユーザとしても、視聴するかどうかは別として、とりあえず録画しておこうといった考えで、興味のある情報を順次録画することも行なわれる。
【０００３】
しかし、記録媒体の録画が可能な容量が増加したといっても、その記録容量は無限ではないので、録画にも限界があり、新たな情報を録画することができなくなる状態も起こり得ることになる。かかる状態を回避するためには、ハードディスクに既に録画されている一部の情報を破棄するか、ＤＶＤなどの他の記録媒体にコピーしたり、ユーザが分類してフォルダに移動させたりすることが必要となり、このための操作が重要になっている。
【０００４】
このようなことは、ＰＣや携帯電話などの携帯端末といった機器についても、同様である。
【０００５】
ところで、ＰＣなどにおいては、ドラッグ・アンド・ドロップ操作を用いることにより、ファイルを別のフォルダにコピーしたり、移動したりすることができる。その一例として、画面作成に際し、画面作成に用いる部品（アイコン）にデバイスに設定されているアドレスをドラッグして割り当てる技術が知られている（例えば、特許文献１参照）。
【０００６】
この特許文献１に記載の技術では、作画ウィンドウに編集領域と、かく部品毎に、その部品を含む画面が表示された画面一覧領域と、デバイスを指定すると、そのデバイスに設定されているアドレスを表示するアドレス一覧領域とが設けられており、画面一覧領域でアドレス設定の対象となる部品を含む画面を選択すると、この部品が編集領域に表示され、次いで、アドレス一覧領域の所望のアドレスをマウスポインタで選択すると、編集領域で部品に接して、あるいは一部重複して機能一覧ウィンドウが表示され、選択したアドレスをこの部品を介して機能一覧ウィンドウへドラッグし、ドロップすることにより、この部品の選択されたアドレスが割り当てられる。このアドレスが編集領域で表示される部品を通ってドラッグされたものであるから、機能一覧ウィンドウでは、この部品とドラッグされたアドレスとが対応付けられる。
【０００７】
なお、アドレス一覧領域でのこのようにして使用されているアドレスは、使用できないものであって、未使用のアドレスに対して、着色などの異なる表示状態とされ、未使用のアドレスを容易に確認できるようにしている。
【特許文献１】特開２００６ー９９５６８号公報
【発明の開示】
【発明が解決しようとする課題】
【０００８】
ところで、上記特許文献１に記載の技術では、ファイル（アドレス）を該当する情報（部品）を介してフォルダ（機能一覧ウィンドウ）にドラッグ・アンド・ドロップすることにより、ファイルをフォルダに移動させる（アドレス一覧領域では、ドラックされたアドレスは、使用されているものとして、使用できない状態にある）ことができるものであるが、これは、ファイルをフォルダに移動させるという１つのモードしか実行できないものである。
【０００９】
これに対し、ＴＶ受信機やビデオ機器，ＰＣ，携帯端末などの機器では、ハードディスクに録画された情報（以下、かかる録画情報をファイルという）を他の記録媒体に移動させる（即ち、ファイルを記録媒体に記録した後、ハードディスクでは、このファイルを消去する）ばかりでなく、他の記録媒体にコピーさせる（ハードディスクに残したまま、他の記録媒体にも同じファイルを記録する）、ハードディスクのファイルを再生する（観賞する）などのための複数の操作モードを選択することができるようにすることが必要である。
【００１０】
上記特許文献１に記載の発明を適用して、このような複数のモードを選択的に実行できるようにするために考えられることは、かかる操作モードの選択を行なうための別の画面を表示させ、この操作画面でファイルのドラッグ・アンド・ドロップ操作とは別の操作を行なう必要があり、操作に手間と時間がかかるという問題がある。
【００１１】
また、上記特許文献１に記載の発明では、当然のことながら、ファイル（部品）に１つのフォルダ（アドレス）を割り当てるものであるが、かかる技術をＴＶ受信機やビデオ機器，ＰＣ，携帯端末などの機器でのファイルに適用した場合には、複数のファイルを同じファルダに移動やコピーをする場合、そのための操作をファイル毎に行なうことが必要となり、非常に手間と時間がかかるという問題もある。
【００１２】
本発明の目的は、かかる問題を解消し、１ないし複数のファイルに対する複数の操作モードを簡単な操作手順でもって実行可能とした画面操作方法を提供することにある。
【課題を解決するための手段】
【００１３】
上記目的を達成するために、本発明は、操作デバイスを備えた装置での表示部に画面を表示し、操作デバイスを操作することによって画面上で操作ができるようにした画面操作方法であって、画面上に、１以上のファイルアイコンと所定の機能モードを実行させるための１以上の機能モードアイコンとファイルアイコンのいずれかを指定するファイル用のカーソルとが表示され、操作デバイスは、ファイルアイコンの１つをファイルカーソルでもって選択するためのファイルカーソル移動手段と、機能モードアイコンに対するスライド部とからなるモード操作部を有し、ファイルカーソル移動手段を操作することにより、ファイル用のカーソルを画面上で移動させてファイルアイコンのいずれかを指定し、スライド部で指先をスライドさせることにより、指定されたファイルアイコンのファイルに対して、機能モードアイコンに対する機能モードを実行させることを特徴とするものである。
【００１４】
また、本発明は、ファイルカーソル移動手段が、スクロールボタンまたはスクロールホイールであることを特徴とするものである。
【００１５】
また、本発明は、ファイルカーソル移動手段が、スライド部であることを特徴とするものである。
【００１６】
また、本発明は、操作デバイスを備えた装置での表示部に画面を表示し、操作デバイスを操作することによって画面上で操作ができるようにした画面操作方法であって、画面上に、１以上のファイルアイコンと所定の機能モードを実行させるための１以上の機能モードアイコンとファイルアイコンのいずれかを指定するファイル用のカーソルとが表示され、操作デバイスは、ファイルアイコンの１つをファイルカーソルでもって選択するための第１のスライド部と、機能モードアイコンに対する第２のスライド部とからなるモード操作部を有し、第１のスライド部で指先をスライドさせることにより、ファイル用のカーソルを画面上で移動させてファイルアイコンのいずれかを指定し、第２のスライド部で指先をスライドさせることにより、第２のスライド部に対応する機能モードアイコンを機能モード用カーソルで指定し、指定されたファイルアイコンのファイルに対して、指定された機能モードアイコンに対する機能モードを実行させることを特徴とするものである。
【００１７】
また、本発明は、画面には、ファイルアイコンに対するファイルが設定可能なフォルダのフォルダアイコンが１以上表示され、モード操作部には、フォルダアイコンの１つをフォルダカーソルでもって選択するための第３のスライド部を有することを特徴とするものである。
【００１８】
また、本発明は、第１のスライド部は縦長の領域であり、第２のスライド部は第１のスライド部に一端が連結した横長の領域であることを特徴とするものである。
【００１９】
また、本発明は、第１のスライド部は縦長の領域であり、第２のスライド部はその一方の端部が第１のスライド部に連結した横長の領域であり、第３のスライド部は第２のスライド部の他方の端部が連結した縦長の領域であることを特徴とするものである。
【００２０】
また、本発明は、操作デバイスを備えた装置での表示部に画面を表示し、操作デバイスを操作することによって画面上で操作ができるようにした画面操作方法であって、画面上に、１以上のファイルアイコンと、所定の機能モードを実行させるための１以上の機能モードアイコンと、ファイルアイコンのいずれかを指定するファイル用のカーソルと、機能モードアイコンのいずれかを指定する機能モード用カーソルとが表示され、操作デバイスは、ファイルアイコンのいずれか１つをファイルカーソルでもって選択するための第１のスライド部と、機能モードアイコンに対する第２のスライド部と、機能モードアイコンのいずれか１つを機能モード用カーソルでもって選択するための第３のスライド部からなるモード操作部を有し、第１のスライド部で指先をスライドさせることにより、ファイル用のカーソルを画面上で移動させてファイルアイコンのいずれかを指定し、第３のスライド部で指先をスライドさせることにより、機能モード用カソルを画面上で移動させて機能モードアイコンいずれかを指定し、第２のスライド部で指先をスライドさせることにより、指定されたファイルアイコンのファイルに対して、機能モード用カーソルで指定された機能モードアイコンに対する機能モードを実行させることを特徴とするものである。
【００２１】
また、本発明は、画面には、ファイルアイコンに対するファイルが設定可能なフォルダのフォルダアイコンが１以上表示され、モード操作部には、フォルダアイコンの１つをフォルダカーソルでもって選択するための第４のスライド部を有することを特徴とするものである。
【００２２】
また、本発明は、第１のスライド部は、縦長の領域であり、第２のスライド部は、その一端が第１のスライド部に連結した横長の領域であることを特徴とするものである。
【００２３】
また、本発明は、第１のスライド部は、縦長の領域であり、第３のスライド部は、第１のスライド部に平行な縦長の領域であり、第２のスライド部は、夫々の端部が第１のスライド部と第２のスライド部とに連結した横長の領域であり、第４のスライド部は、第１，第３のスライド部間に配置され、第２のスライド部と交差する縦長の領域であることを特徴とするものである。
【００２４】
また、本発明は、第１，第３のスライド部は半円状の細長い領域であって、第１，第３のスライド部によって円状の細い領域をなし、第２のスライド部は、第１，第３のスライド領域の円状の細い領域の内側で夫々の端部が円状の細い領域の内側に連結した横長の領域であり、第４のスライド部は、第１，第３のスライド領域の円状の細い領域の内側で夫々の端部が円状の細い領域の内側に連結し、かつ第２のスライド部と交差する縦長の領域であることを特徴とするものである。
【００２５】
また、本発明は、第２のスライド部に、指先のスライドを禁止可能とする上下可能なストップ片を設け、ストップ辺によって指先のスライドが禁止された第２のスライド部に対応する機能モードの実行を禁止することを特徴とするものである。
【００２６】
また、本発明は、操作デバイスを備えた装置での表示部に画面を表示し、操作デバイスを操作することによって画面上で操作ができるようにした画面操作方法であって、画面上に、１以上のファイルアイコンと、ファイルアイコンに対するファイルが設定可能な１以上のフォルダのフォルダアイコンと、所定の機能モードを実行させるための１以上の機能モードアイコンと、ファイルアイコンのいずれかを指定するファイル用カーソルと、フォルダアイコンのいずれかを指定するフォルダ用カーソルと、機能モードアイコンのいずれかを指定する機能モード用カーソルとが表示され、操作デバイスは、ファイルアイコンのいずれか１つをファイルカーソルでもって選択するための第１のスライド部と、フォルダアイコンのいずれか１つをフォルダカーソルでもって選択するための第２のスライド部と、第１，第２のスライド部間に配置された機能モードアイコンに対する第３のスライド部とからなるモード操作部を有し、第１のスライド部で指先をスライドさせることにより、ファイル用カーソルを画面上で移動させてファイルアイコンのいずれかを指定し、第２のスライド部で指先をスライドさせることにより、フォルダ用カーソルを画面上で移動させてフォルダアイコンのいずれかを指定し、第１のスライド部でのスライド操作によってファイルアイコンのいずれかが指定され、第２のスライド部でのスライド操作によってフォルダアイコンのいずれかが指定された後、第１のスライド部から第３のスライド部を介して第２のスライド部へのスライド操作により、画面上でスライド操作された第３のスライド部を機能モードアイコンで指定した状態に表示し、指定されたファイルアイコンに対するファイルに対し、指定したフォルダアイコンに対するフォルダで、スライド操作された第３のスライド部に対する機能モードを実行させることを特徴とするものである。
【００２７】
また、本発明は、画面にファイルアイコンを複数含むファイル指定領域カーソルを表示し、ファイル用カーソルはファイル指定領域カーソル内に表示されて、第１のスライド部でのスライド操作によるファイルアイコンの指定は、ファイル指定領域カーソル内のファイルアイコンに対して行なわれることを特徴とするものである。
【００２８】
また、本発明は、ファイル指定領域カーソル内で複数のファイルカーソルを指定可能であって、第３のスライド部のスライド操作により、指定された複数のファイルアイコンに対するファイルを同時に選択されたフォルダアイコンに対するフォルダに設定可能としたことを特徴とするものである。
【発明の効果】
【００２９】
本発明によると、ファイルアイコンを画面上をスライドさせるという簡単な操作でもって、このファイルアイコンに対するファイルを希望する機能（操作）モードで処理することが可能となり、また、処理対象となるファイルや実行される機能モードを容易に確認することができる。
【発明を実施するための最良の形態】
【００３０】
まず、本発明による画面表示方法を用いる装置のシステムについて説明する。
【００３１】
図１は本発明による画面表示方法を用いる装置の一例としてのＰＣのシステム構成を概略的に示すブロック図であって、１は装置本体、２は制御部、３は入力部、４は記憶部、５は表示部、６は音声出力部、７はチューナ部、８はアンテナである。
【００３２】
同図において、入力部３は、マウスやキーボード，表示部５に設けられたタッチパネルなどのフリーカーソル操作が可能なポインティングデバイスを備え、ユーザが各種情報などを入力するための手段であって、かかる入力部３からの入力情報に応じて、制御部２が各部の制御を行ない、表示部５に情報の画面や各種操作のための画面を表示させ、また、音声出力部６から音声を出力させる。また、入力部３の操作により、図示しないサーバから所望とする情報をダウンロードさせることができ、ダウンロードされる情報はアンテナ８からチューナ部７で受信され、制御部２の制御のもとに、ファイルとして記憶部４に記憶される。記憶部４は、ダウンロードされたファイルを記憶するファイル記憶領域とフォルダが記憶されているフォルダ記憶領域とが設定されており、サーバからダウンロードされたファイルはファイル記憶領域に順次記憶される。なお、ファイル記憶領域とフォルダ記憶領域とは、別々の記録媒体であってもよく、この場合でも、以下では、記憶部４で総称する。
【００３３】
また、制御部２は、入力部３の操作に応じて、表示部５に複数の操作モードを実行させるためのファイル管理画面を表示させ、かかるファイル管理画面に対して入力部３で所定の操作を行なうことにより、記憶部４に記憶されたファイルを予め設定されたフォルダや、図示しないが、装置本体１に着脱可能なＤＶＤなどの記録媒体（メディア）にコピーしたり、移動させたりする操作モードを行なわせる。
【００３４】
以下では、ＰＣに設定されているフォルダばかりでなく、装置本体１に着脱可能なＤＶＤなどの記録媒体などファイルのコピー，移動の行先となるものなどもあるが、これらを表わす画面上でのエリアを機能実行エリアと総称する。
【００３５】
次に、ＰＣにおける本発明による画面表示方法の実施形態について説明する。
【００３６】
図２〜図５は本発明による画面表示方法の第１の実施形態を示す図であって、２０はファイル管理画面、２１はファイル領域、２１ａ，２１ｂ，２１ｃはファイルのアイコン（ファイルアイコン）、２２はフォルダ領域、２２ａ，２２ｂはフォルダのアイコン（フォルダアイコン）、２３は「コピー」モードアイコン、２４は「移動」モードアイコン、２５は文字「コピー」、２６は文字「移動」、２７はカーソル、２８は「アンドゥ」モードアイコンである。
【００３７】
図２は記憶部４に記憶されているファイルをコピー操作するときの画面を示すものである。
【００３８】
表示部５（図１）で図示しないメニュー画面が表示された状態で操作モードのメニューを選択する操作を入力部３ですると、図２（ａ）に示すファイル管理画面２０が表示部５で表示される。このファイル管理画面２０では、例えば、左辺に沿った縦長のファイル領域２１に縦列に記憶部４に記憶されているファイルに対するファイルアイコン２１ａ，２１ｂ，２１ｃが配列され、このファイル管理画面２０の右辺に沿った縦長のフォルダ領域２２に縦列にフォルダに対する機能実行エリアとしてのフォルダアイコン２２ａ，２２ｂが配列されており、これらファイル領域２１とフォルダ領域２２との間に操作モードを表わすアイコン（以下、操作モードアイコンという）が縦列に配列されている。ここで、操作モードアイコンとしては、ファイルのフォルダへのコピーを行なわせる「コピー」モードアイコン２３と、ファイルのフォルダへの移動を行なわせる「移動」モードアイコン２４とが配列されている（但し、これら以外の操作モードアイコンも配列するようにしてもよい）。「コピー」モードアイコン２３には、文字「コピー」２５が、「移動」モードアイコン２４には、文字「移動」２６が夫々付されており、これら操作モードアイコン２３，２４の機能（即ち、操作モードの内容）が容易に認識できるようにしている。
【００３９】
いま、ファイルアイコン２１ａのファイルをフォルダアイコン２２ａのフォルダにコピーするものとすると、図２（ｂ）に示すように、入力部３の操作により、このファイルアイコン２１ａがカーソル２７によってフォーカスされ、かかる状態から、図２（ｃ）に示すように、ファイルアイコン２１ａをドラッグする。この場合、このファイルアイコン２１ａのファイルをフォルダアイコン２２ａのフォルダにコピーするものであるから、このファイルアイコン２１ａを「コピー」モードアイコン２３を通してドラッグする。そこで、ファイルアイコン２１ａはカーソル２７とともに進んでいくが、このファイルアイコン２１ａが「コピー」モードアイコン２３上を通ると、この「コピー」モードアイコン２３の文字「コピー」２５がファイルアイコン２１ａに貼り付き、このファイルアイコン２１ａとともに進んでいく。
【００４０】
なお、ファイルアイコン２１ａがドラッグ開始すると、ファイル領域２１でのこのファイルアイコン２１ａは、例えば、薄く表示されるなどして、このファイルアイコン２１ａがコピー操作モードの実行中であることが示される。
【００４１】
そして、図２（ｄ）に示すように、文字「コピー」２５が貼り付いたファイルアイコン２１ａが目的とするフォルダアイコン２２ａに達し、かかる状態でドロップ操作をすると、図２（ｅ）に示すように、ファイルアイコン２１ａがフォルダアイコン２２ａ内に表示され、これとともに、文字「コピー」２５がもとの「コピー」モードアイコン２３上に戻り、ファイル領域２１でのファイルアイコン２１ａはもとの表示状態に戻り、さらに、操作モードアイコン２３，２４と同じ配列で、「もとに戻る」モードを表わす「アンドゥ」モードアイコン２８が表示される。しかる後、入力部３で決定操作がなされると、あるいは所定時間経過すると、この「コピー」が決定してコピーモードが終了し、図２（ｆ）に示すように、フォルダアイコン２２ａ内のファイルアイコン２１ａや「アンドゥ」モードアイコン２８が削除されて、図２（ａ）と同じもとの表示状態に戻る。
【００４２】
このように、コピーモードでは、記憶部４にファイルがそのまま残りながら、フォルダにもこのファイルが存在するものであり、このため、コピーモードが終了したときには、図２（ｆ）に示すように、ファイル領域２１にコピーしたファイルアイコン２１ａが表示されているし、また、コピー操作の最終段階を示す図２（ｅ）では、ファイル領域２１とコピー先のフォルダアイコン２２ａとに同じファイルアイコン２１ａが表示され、これにより、目的とするフォルダアイコン２２ａのフォルダに対象のファイルアイコン２１ａのファイルがコピーされたことを容易に確認することができる。
【００４３】
図３は記憶部４に記憶されているファイルを移動操作するときの画面を示すものである。
【００４４】
図３（ａ）は、図２（ａ）に示すファイル管理画面２０と同様のファイル管理画面２０であり、表示部５（図１）で図示しないメニュー画面が表示された状態で操作モードのメニューを選択する操作を入力部３でして得られたものである。
【００４５】
いま、ファイルアイコン２１ａのファイルをフォルダアイコン２２ａのフォルダに移動させるものとすると、図３（ｂ）に示すように、入力部３の操作により、このファイルアイコン２１ａがカーソル２７によってフォーカスされ、かかる状態から、図３（ｃ）に示すように、ファイルアイコン２１ａをドラッグする。この場合、このファイルアイコン２１ａをフォルダアイコン２２ａに移動させるものであるから、このファイルアイコン２１ａを「移動」モードアイコン２４を通してドラッグする。そこで、ファイルアイコン２１ａはカーソル２７とともに進んでいくが、このファイルアイコン２１ａが「移動」モードアイコン２４上を通ると、この場合には、この「移動」モードアイコン２４の文字「移動」２６はファイルアイコン２１ａに貼り付かない。
【００４６】
なお、ファイルアイコン２１ａがドラッグ開始すると、ファイル領域２１に表示されていたこのファイルアイコン２１ａは、例えば、薄く表示されるなどして、このファイルアイコン２１ａが移動操作モードの実行中であることが示される。
【００４７】
そして、図３（ｄ）に示すように、ファイルアイコン２１ａが目的とするフォルダアイコン２２ａに達し、かかる状態でドロップ操作をすると、図３（ｅ）に示すように、ファイルアイコン２１ａがフォルダアイコン２２ａ内に表示され、ファイル領域２１でのファイルアイコン２１ａが削除されて移動されたことを表わし、さらに、操作モードアイコン２３，２４と同じ配列で、「もとに戻る」モードを表わす「アンドゥ」モードアイコン２８が表示される。しかる後、入力部３で決定操作がなされると、あるいは所定時間経過すると、この「移動」が決定して移動モードが終了し、図３（ｆ）に示すように、フォルダアイコン２２ａ内やファイル領域２１でのファイルアイコン２１ａや「アンドゥ」モードアイコン２８が削除される。
【００４８】
このように、移動モードでは、フォルダに移動したファイルは記憶部４に残らないから、移動モードが終了したときには、図３（ｆ）に示すように、移動したファイルアイコン２１ａがファイル領域２１に表示されず、また、移動操作の最終段階を示す図３（ｅ）でも、ファイル領域２１にファイルアイコン２１ａが表示されず、移動先のフォルダアイコン２２ａにこのファイルアイコン２１ａが表示され、これにより、目的とするフォルダアイコン２２ａのフォルダに対象のファイルアイコン２１ａのファイルが移動されたことを容易に確認することができる。
【００４９】
図４はフォルダに格納したファイルをファイル領域２１（即ち、記憶部４）に戻すアンドゥモード操作をするときの画面を示すものである。
【００５０】
図４（ａ）は、図３（ｅ）に示すファイル管理画面２０と同様のファイル管理画面２０であり、ファイル領域２１のファイルアイコン２１ａのファイルをフォルダアイコン２２ａのフォルダに移動する移動モードの最終段階を示すものである。
【００５１】
かかる状態で、フォルダアイコン２２ａのフォルダにおけるファイルアイコン２１ａのファイルをファイル領域２１に戻す場合には、図４（ｂ）に示すように、入力部３の操作により、このファイルアイコン２１ａが収納されているフォルダアイコン２２ａがカーソル２７によってフォーカスされ、かかる状態から、入力部３のドラッグ操作により、このフォルダアイコン２２ａを「アンドゥ」モードアイコン２８の方にドラッグする。そして、図４（ｃ）に示すように、このフォルダアイコン２２ａが「アイドゥ」モードアイコン２８に達し、入力部３でドロップ操作がなされると、図４（ｄ）に示すように、アイコン２１ａがファイル領域２１に移動し、フォルダアイコン２２ａがフォルダ領域２２に戻り、「アンドゥ」モードアイコン２８が白黒反転して表示される。
【００５２】
しかる後、入力部３で決定操作がなされると、あるいは所定時間経過すると、このアンドゥモードが終了し、図４（ｆ）に示すように、「アンドゥ」モードアイコン２８が削除され、ファイル領域２１にファイルアイコン２１ａも表示される状態となる。
【００５３】
このように、移動モードで所定のフォルダに移動したファイルを直ちにもとのファイル領域２１に戻すこともでき、誤った移動に対する処置を、画面を変更することなく、移動モードに用いた画面をそのまま用いて直ちに行なうことができる。
【００５４】
図５はフォルダに格納されているファイルをファイル領域２１（即ち、記憶部４）に移動させるアンドゥモード操作をするときの画面を示すものである。
【００５５】
図５（ａ）は図２（ａ）に示すファイル管理画面２０と同様のファイル管理画面２０を示すものであり、この場合、フォルダアイコン２２ａのフォルダには、１以上のファイルが格納されているものとするが、ここでは、説明の都合上、１つのファイルアイコン２１ａのファイルが格納されているものとする。
【００５６】
かかる状態で、図５（ｂ）に示すように、入力部３の操作により、フォルダアイコン２２ａがカーソル２７によってフォーカスされると、「アンドゥ」モードアイコン２８が表示され、かかる状態から、入力部３のドラッグ操作により、このフォルダアイコン２２ａを「アンドゥ」モードアイコン２８の方にドラッグする。そして、図５（ｃ）に示すように、このフォルダアイコン２２ａが「アイドゥ」モードアイコン２８に達し、入力部３でドロップ操作がなされると、図５（ｄ）に示すように、フォルダアイコン２２ａでのファイルアイコン２１ａがファイル領域２１に移動し、フォルダアイコン２２ａがフォルダ領域２２に戻り、「アンドゥ」モードアイコン２８が白黒反転して表示される。
【００５７】
しかる後、入力部３で決定操作がなされると、あるいは所定時間経過すると、このアンドゥモードが終了し、図５（ｆ）に示すように、「アンドゥ」モードアイコン２８が削除され、ファイル領域２１にファイルアイコン２１ａも表示される状態となる。
【００５８】
このように、フォルダに格納されているファイルも、簡単なドラッグ・アンド・ドロップ操作により、直ちにファイル領域２１（即ち、記憶部４）に移動させることができる。
【００５９】
なお、フォルダに複数のファイルが格納されているときには、かかるアンドゥモードの操作により、全てのファイルが同時にファイル領域２１（即ち、記憶部４）に移動することになるが、かかるアンドゥモードの操作を行なう前に、このフォルダアイコン２２ａを開いてその複数のうちのファイル領域２１（即ち、記憶部４）への移動を必要とするファイルを選択指定し、しかる後、かかるアンドゥ」ードの操作を行なうことにより、選択されたファイルのみを同時にファイル領域２１（即ち、記憶部４）に移動させるようにすることもできる。
【００６０】
図６はファイル管理画面２０の他の具体例を示す図であって、前出図面に対応する部分には同一符号をつけている。
【００６１】
図６（ａ）に示すファイル管理画面２０は、図２〜図５に示すファイル管理画面２０に対し、ファイル領域２１とフォルダ領域２２との位置関係を左右反転したものである。
【００６２】
図６（ｂ）に示すファイル管理画面２０は、図２〜図５に示すファイル管理画面２０に対し、「コピー」や「移動」の操作モードアイコンの大きさを異ならせたものである。ここでは、小さくしている。
【００６３】
図６（ｃ）に示すファイル管理画面２０は、図２〜図５に示すファイル管理画面２０に対し、ファイル領域２１とフォルダ領域２２とをファイル管理画面２０の上辺と下辺とに平行な横長の領域としたものであり、操作モードアイコンも、ファイル領域２１とフォルダ領域２２との間で横方向に配列されている。ここでは、ファイル領域２１を上側に、フォルダ領域２２を下側に配置しているが、その逆の配置でもよい。
【００６４】
図６（ｄ）に示すファイル管理画面２０は、図２〜図５に示すファイル管理画面２０に対し、操作モードアイコンをファイル管理画面２０の右辺側に縦方向に配置と、ファイル領域２１と操作モードアイコンの配列領域との間にフォルダ領域２２を配列したものである。ファイル領域２１とフォルダ領域２２との配置関係は、その逆であってもよい。
【００６５】
図６（ｅ）に示すファイル管理画面２０は、図２〜図５に示すファイル管理画面２０に対し、操作モードアイコンの配列方向を横方向としたものである。ファイル領域２１とフォルダ領域２２との配置関係は、その逆であってもよい。
【００６６】
図６（ｆ）に示すファイル管理画面２０は、図２〜図５に示すファイル管理画面２０に対し、縦方向に配列される操作モードアイコンの間にフォルダを配置したものである。ここでは、操作モードアイコンを小さくしているが、それに限るものではない。
【００６７】
図６（ｇ）に示すファイル管理画面２０は、図２〜図５に示すファイル管理画面２０に対し、操作モードアイコンの形状を操作モード毎に異ならせたものである。ここでは、「コピー」モードアイコンを星型とし、「移動」モードアイコンを六角形としているが、これに限るものではない。
【００６８】
図６（ｇ）に示すファイル管理画面２０は、図２〜図５に示すファイル管理画面２０に対し、「移動」モードアイコンを通過したファイルのアイコンの形状を異ならせ、あるいは特定の色に着色するようにしたものである。
【００６９】
以上、ファイル管理画面２０の例を示したが、以上のもの以外の形態のものであってもよい。
【００７０】
ところで、ファイルとしては、フォルダに格納するばかりでなく、ウィンドウに登録できるようにすることも望まれる。
【００７１】
図７はこのための本発明による画面表示方法の第２の実施形態を示す図であって、２９はウィンドウ、３０はファンクションバー、３１は「コピー」モードバー、３２は「移動」モードバー、３３は登録マークであり、前出図面に対応する部分には同一符号をつけて重複する説明を省略する。
【００７２】
表示部５（図１）で図示しないメニュー画面が表示された状態で操作モードのメニューを選択する操作を入力部３ですると、図７（ａ）に示すファイル管理画面２０が表示部５で表示される。このファイル管理画面２０では、例えば、２つのファイルアイコン２１ａ，２１ｂ（これらを、以下、ドラッグされるファイルアイコンに対して、もとのファイルアイコンという）と、機能実行エリアとしての、例えば、２つのフォルダアイコン２２ａ，２２ｂと、ファイルの登録リストが記載された機能実行エリアとしてのウィンドウ２９と、カーソル２７とが表示されているものとする。
【００７３】
かかるファイル管理画面２０が表示されている状態で、入力部３（図１）での操作により、カーソル２７で、例えば、ファイルアイコン２１ｂをフォーカスすると、図７（ｂ）に示すように、このファイルアイコン２１ｂが白黒反転、または、特定の色で表示されるようになり、このファイルアイコン２１ｂが選択されたことが明示される。そして、ドラッグのためのクリック操作をすると、図７（ｃ）に示すように、ファイル管理画面２０の、例えば、上辺に沿って横長のファンクションバー３０が表示される。このファンクションバー３０には、「コピー」モードバー３１や「移動」モードバー３２などの操作モードバーが設けられている。
【００７４】
次いで、カーソル２７を移動させることにより、この選択されたファイルアイコン２１ｂをドラッグさせる操作を入力部３で行なうのであるが、このファイルアイコン２１ｂをウィンドウ２９にコピー登録する場合には、図７（ｄ）に示すように、このファイルアイコン２１ｂをファンクションバー３０の「コピー」モードバー３１を介してウィンドウ２９にドラッグする。このドラッグの過程でファイルアイコン２１ｂがこの「コピー」モードバー３１を通過すると、この「コピー」モードバー３１が白黒反転もしくは特定の色で表示されることになり、「コピー」モードの操作が行なわれていることを認識し易くする。ドラッグが行なわれているときには、もとのファイルアイコン２１ｂは薄く表示され、ドラッグが行なわれているファイルアイコン２１ｂをこれからも認識できる。
【００７５】
図７（ｄ）に示すように、ファイルアイコン２１ｂがウィンドウ２９に到達し、入力部３でドロップ操作が行なわれると、「コピー」モードが終了したことになり、図７（ｅ）に示すように、ウィンドウ２９に登録マーク３３が表示され、「コピー」モードバー３１はもとの表示状態に戻る。この登録マーク３３は、ファイルアイコン２１ｂを小さくしたものであってもよい。かかる登録マーク３３により、ファイルアイコン２１ｂがウィンドウ２９に登録されたことが認識できる。しかも、このとき、もとのファイルアイコン２１ｂは通常の表示がなされているので、この登録は「コピー」によるものであることが認識できる。
【００７６】
しかる後、入力部３で決定操作がなされると、あるいは所定の時間が経過すると、図７（ｆ）に示すように、図７（ａ）で示すもとの表示状態に戻る。
【００７７】
なお、ウィンドウ２９への「移動」モードによる登録の場合には、「移動」モードバー３２を介してドラッグさせればよく、「コピー」モードによる登録の場合と同様である。但し、「移動」モードでファイルアイコンをウィンドウ２９に登録した場合には、もとのファイルアイコンは消去される。
【００７８】
図８は本発明による画面表示方法の第３の実施形態を示す図であって、４０は情報管理画面、４１ａ〜４１ｂは記録情報のアイコン、４２は「見る」モードアイコン、４３は「保存する」モードアイコン、４４は「聞く」モードアイコン、４５は音声再生装置のアイコン、４６，４７はＴＶ受像機のアイコンである。
【００７９】
この第２の実施形態は、ＰＣで、ＤＶＤなどの記録媒体の記録情報を音声再生装置で再生したり（「聞く」モード）、テレビ受像機で再生したり（「見る」モード）、音声再生装置やＴＶ受像機に保存したり（「保存する」モード）する操作をすることができるようにしたものであって、図示しないが、図１に示すＰＣにＤＶＤなどの記録再生装置やステレオ記録再生装置などの音声再生装置やＴＶ受像機が接続されており、図１におけるＰＣの入力部３での操作により、表示部５で表示される情報管理画面を用いてかかる「見る」，「保存する」，「聞く」などの各操作モードを実行することができるようにしたものである。
【００８０】
図８（ａ）に示すように、表示部５に表示される情報管理画面４０には、例えば、その上辺に沿って横長の情報領域４９が設定されており、その下辺に沿ってデバイス領域５０が設定されている。そして、情報領域４９とデバイス領域５０との間に、横方向に操作モードアイコンが配列されている。また、カーソル４８も表示されている。
【００８１】
情報領域４９は、先の図２などでのファイル領域２１に相当するものであり、ここでは、記録再生装置（ここでは、ＤＶＤとする）の記録情報夫々に相当するアイコン、即ち、３つの記録情報のアイコン４１ａ，４１ｂ，４１ｃが表示されているものとする。これらアイコン４１ａ〜４１ｃは、先のファイルアイコンと同様、個々の記録情報を表わすアイコンである。
【００８２】
デバイス領域５０には、例えば、音声再生装置のアイコン４５と、例えば、別々の部屋に設けられた２つのＴＶ受像機のアイコン４６，４７との機能実行エリアとしての３つのデバイスアイコンが表示されているものとする。
【００８３】
操作モードアイコンとしては、ＤＶＤの記録情報（映像情報）をＴＶ受像機で再生させる「見る」モードのアイコン（「見る」モードアイコン）４２と、ＤＶＤの記録情報をＴＶ受像機や音声再生装置に保存する「保存する」モードのアイコン（「保存する」モードアイコン）４３と、ＤＶＤの記録情報（音声情報）を音声再生装置で再生させる「聞く」モードのアイコン（「聞く」モードアイコン）４４とが表示されている。
【００８４】
なお、表示される操作モードアイコンは、ＰＣに接続されるデバイスに応じて設定されるものであって、また、デバイス領域５０に表示されるデバイスアイコンは、情報領域４９に表示される記録情報のアイコンに応じて設定される。例えば、情報領域４９に表示される情報アイコン４１ａ〜４１ｃが全て映像情報に対するものであるときには、音声再生装置は使用されないので、音声再生装置のアイコン４５は表示されない。また、操作モードアイコンについても同様であり、情報領域４９に表示される情報アイコン４１ａ〜４１ｃが全て映像情報に対するものであるときには、「聞く」モードアイコン４４は表示されない。従って、ＰＣは、情報管理画面４０を表示するに際しては、これに表示する情報アイコンに対する情報の種類を判定し、その判定結果に応じてデバイス領域５０に表示するデバイスのアイコンを決定し、また、操作モードアイコンの種類も決定する。
【００８５】
ここで、情報領域４９では、ＤＶＤに記録されている全ての情報のアイコンを表示できるとは限らない。このために、図示しないが、情報領域４９には、スクロールバーが設けられており、このスクロールバーをカーソル４８でクリック操作することにより、情報アイコンを横方向にスクロールしてこれまで表示されていなかった情報アイコンを表示させることができる。この場合、新たに表示された情報アイコンがこれまでの種類とは異なる種類の情報のものであるときには、デバイス領域５０に表示されるデバイスアイコンや操作モードアイコンの種類も変更させる。
【００８６】
図８（ａ）に示す情報管理画面４０に対し、情報アイコン４１ａの情報（この場合、映像情報）をアイコン４７に対するＴＶ受像機に保存するものとして、ＰＣの入力部３（図１）を操作した情報アイコン４１ａまでカーソル４８を移動させ、カーソル４８で情報アイコン４１ａをフォーカスすると、図８（ｂ）に示すように、この情報アイコン４１ａが白黒反転もしくは特定の色で表示状態が変更される。そして、かかる状態でドラッグ操作をすると、図８（ｃ）に示すように、カーソル４８とともに情報アイコン４１ａをＴＶ受信機のアイコン４７の方向に進め、「保存する」モードアイコン４３を通過させてＴＶ受像機のアイコン４７まで進める。このとき、情報領域４９での情報アイコン４１ａは、例えば、薄く表示され、ドラッグ中であることが示される。そして、情報アイコン４１ａをＴＶ受像機のアイコン４７に重ねた状態で、入力部３（図１）により、ドロップ操作すると、この情報アイコン４１ａがＴＶ受像機のアイコン４７に設定されることになり、情報アイコン４１ａの「保存する」モードの操作モードが終了する。これとともに、情報領域４９での情報アイコン４１ａはもとの表示状態に戻り、情報アイコン４１ａに対する映像情報がアイコン４７に対するＴＶ受像機に転送されて保存される。この保存のための動作が終了すると、ＴＶ受像機のアイコン４７上に表示されている情報アイコン４１ａが消去される。
【００８７】
例えば、映像情報に対する情報アイコン４１ａを「見る」モードアイコン４２を通してＴＶ受像機のアイコン４６にドラッグ・アンド・ドロップすると、この映像情報をアイコン４６に対するＴＶ受像機で再生されて見ることができ、また、音声情報に対する情報アイコン４１ｂを「聞く」モードアイコン４４を通して音声再生装置のアイコン４５にドラッグ・アンド・ドロップすると、この恩威再生装置でこの音声情報が再生される。
【００８８】
なお、情報管理画面４０に「消去」モードアイコンを設けることにより、情報アイコン４１ａ〜４１ｃの情報のうちの不要な情報をＤＶＤから削除することもできる。
【００８９】
このようにして、ＤＶＤなどの記録再生装置に記録されている情報を、情報管理画面でのドロップ・アンド・ドロップ操作という簡単な操作でもって、種々のモードで処理することが可能となる。
【００９０】
図９は本発明による画面表示方法を用いたＴＶ受像機の構成を示すブロック図であって、６０はＴＶ受像機の装置本体、６１は制御部、６２は赤外線受光部、６３は記憶部、６４は表示部、６５は音声出力部、６６はチューナ部、６７は接続部、６８はアンテナ、７０はリモコン（リモート・コントローラ）、７１は記憶部、７２は制御部、７３は赤外線発行部、７４は入力部、８０は外部装置、８１は制御部、８２は入力部、８３は記憶部、８４は表示部、８５は音声出力部、８６は接続部である。
【００９１】
同図において、ＴＶ受像機の装置本体６０では、リモコン７０の赤外線発光部７３からの赤外線による指令を赤外線受光部６２で受信し、この指令に応じて制御部６１が各部の制御を行なう。
【００９２】
リモコン７０から放送番組の受信指令があると、制御部６１の制御のもとに、アンテナ６８とチューナ部６６とによって指定されるチャンネルの放送番組が受信され、この放送番組の映像情報が表示部６４で表示され、音声情報が音声出力部６５から出力される。また、リモコン７０から放送番組の録画指令あるいは録画予約指令があると、アンテナ６８とチューナ部６６とによって指定されるチャンネルの放送番組が録画部６３に録画あるいは予約録画される。
【００９３】
このＴＶ受像機の装置本体６０には、ＰＣやＴＶ受像機，録画再生装置などの録画機能を備えた外部装置８０を接続することができ、かかる外部装置８０は、その接続部８６がＴＶ受像機の装置本体６０の接続部６７に信号線などを介して接続されることにより、ＴＶ受像機の装置本体６０に接続される。
【００９４】
ここで、外部装置８０は、ＰＣやＴＶ受像機である場合、ユーザからの指令を入力する入力部８２や情報を記録する記憶部８３，映像を表示する表示部８４，音声を出力する音声出力部８５，図示しないアンテナやチューナ部，各部を制御する制御部８１などを備えており、ダウンロードしたファイルや受信したＴＶ番組情報などを記憶部８３に記録したり、表示部８４，音声出力部８５で再生したりすることができる。なお、入力部８２は、外部装置８０がＰＣの場合、マウスやキーボード，表示部５に設けられたタッチパネルなどのフリーカーソル操作が可能なポインティングデバイスであり、ＴＶ受像機である場合には、操作部やリモコンからの指令の赤外線の受光部である。
【００９５】
リモコン７０からの指令としては、さらに、ＴＶ受像機の装置本体６０の記憶部６３に録画されている番組情報を外部装置８０に「コピー」もしくは「移動」させることようにするものもある。「コピー」もしくは「移動」の指令を受けた番組情報は、ＴＶ受像機の装置本体６０の記憶部６３から読み出されて接続部６７から外部装置８０に供給され、外部装置８０では、制御部８１の制御のもとに、記憶部８３に録画される。なお、「コピー」の指令による「コピー」モードでは、コピーの対象となる番組情報はＴＶ受像機の装置本体６０の記憶部６３にも残され、「移動」の指令による「移動」モードでは、移動の対象となる番組情報はＴＶ受像機の装置本体６０の記憶部６３に残らない。
【００９６】
リモコン７０は、ユーザが指令を入力するためのタッチパッドや操作ボタンなどの操作手段からなる入力部７０と、入力部７０での操作に応じた操作指令信号が記憶されている記憶部７１と、入力部７０での操作に応じた操作指令信号を記憶部７１が読み出し、赤外線発光部７３に供給する制御部７２と、制御部７２からの操作指令信号を赤外線に変換して出力する赤外線発光部７３などを備えている。
【００９７】
リモコン７０の入力部７０では、ＴＶ受像機の装置本体６０の記憶部６３に録画されている番組情報について、上記の「コピー」モードや「移動」モードといった操作モードや表示部６４と音声出力部６５とで再生する「見る」モード、記憶部６３から削除する「削除」モードを行なうことができるモード操作部を備えている。
【００９８】
図１０はかかるリモコン７０の一具体例を示すものであって、同図（ａ）は正面図、同図（ｂ）は同図（ａ）での分断線Ａ−Ａに沿う断面図、同図（ｃ）は指先によるタッチ操作状態を示す図であり、９０は筐体、９１は電源キー、９２は放送方式選択キー、９３は数値キー、９４はモード操作部、９５は開口部、９６はタッチパネル、９７はセンサ、９８はパネル基板、９９はメイン基板、１００は赤外線ＬＥＤ、１０１は指先である。
【００９９】
図１０（ａ），（ｂ）において、リモコン７０の筐体９０の表面には、電源キー９１や衛星放送や地上放送などの放送方式を選択する放送方式選択キー９２，放送チャンネルの選択などに用いる数値キー９３などが設けられており、さらに、ＴＶ受像機の装置本体６０の記憶部６３（図９）に記憶差ている番組情報の操作モードを設定するためのモード操作部９４が設けられている。これら電源キー９１や放送方式選択キー９２，数値キー９３，さらには、赤外線発光部７３（図９）での赤外線を発光する赤外線ＬＥＤ１００などが筐体９０内のメイン基板９９に取り付けられている。
【０１００】
モード操作部９４は、筐体９０の表面に設けられた所定形状（ここでは、Ｈ字の形状で示す）の開口部９５と、筐体９０内にこの開口部９５に対向して設けられたタッチパネル９６とからなり、このタッチパネル９６はメイン基板９９上に設けられたパネル基板９８の表面にタッチセンサや感圧センサ，スイッチなどからなるセンサ９７が複数配置された構成をなしている。かかるセンサ９７は開口部８５に近接して設けられており、図１０（ｃ）に示すように、この開口部８５を介して指先で直接タッチすることができる。指先でかかるセンサ９７をタッチすると、そのタッチ位置が、例えば、パネル基板９８に設けられた入力部７４（図９）の制御部によって検出され、その検出結果が制御部７２に送られる。
【０１０１】
図１１は図９におけるリモコン７０の他の具体例を示す断面図であって、１０２はスイッチであり、図１０に対応する部分には同一符号をつけて重複する説明を省略する。
【０１０２】
同図において、メイン基板９９にスイッチ１０２が設けられ、その上にタッチパネル９６が設けられている。図１０（ｃ）に示すように、指先１０１でモード操作装置９４のタッチパネル９６を押すと、スイッチ１０２がオンし、このオン信号によって上記の制御部が稼働状態となる。そして、この制御部は、タッチパネル９４での指先のタッチ位置を検出し、その検出結果を制御部７２（図９）に送る。
【０１０３】
次に、かかるリモコン７０のモード操作部９４での操作による操作モードに応じた画面表示方法について説明する。かかる操作モードは、ＴＶ受像機の装置本体６０の表示部６４（図９）に表示されるファイル管理画面をもとにした操作によって実行されるものである。
【０１０４】
図１２は図９に示すＴＶ受像機に用いられる本発明による画面表示方法の第４の実施形態を示す図であって、１１０Ａはファイル管理画面、１１１はファイル領域、１１２はフォルダ領域、１１３は「見る」モードアイコン、１１４は「コピー」モードアイコン、１１５は「移動」モードアイコン、１１６，１１７はカーソルである。
【０１０５】
図１３は図１２でのファイル管理画面に対するリモコン７０のモード操作部９４の操作状態を示す図であって、９４ａはファイル領域スライド部、９４ｂはフォルダ領域スライド部、９４ｃは「見る」モードスライド部、９４ｄは「コピー」モードスライド部、９４ｅは「移動」モードスライド部である。
【０１０６】
なお、この第４の実施形態では、ＴＶ受像機の装置本体６０の記憶部６３（図９）に記憶されている録画番組情報をファイルとして、ＴＶ受像機の装置本体６０に接続される記憶機能を有する外部装置８０（図９）をフォルダとして表わされている。また、操作モードとしては、ＴＶ受像機の装置本体６０の記憶部６３に録画されているファイルを表示部６４と音声出力部６５（図９）で再生する「見る」モードと、記憶部６３に録画されているファイルを外部装置８０の記憶装置８３（図９）にコピーする「コピー」モードと、同じく移動する「移動」モードのいずれかの操作をすることができるものとする。なお、「コピー」モードは、先の実施形態と同様、記憶部６３でファイルを残したまま記憶部８３に記録するものであり、「移動」モードも、先の実施形態と同様に、記憶部６３にファイルを残さずに記憶部８３に記録するものである。
【０１０７】
リモコン７０は、図１３（ａ）に示すように、図１０（ａ）に示す電源キー９１や放送方式選択キー９２，数値キー９３などの各種操作キーからなる操作キー部９５とモード操作部９４とが設けられている。
【０１０８】
表示部６４（図９）で図示しないメニュー画面が表示された状態で操作モードのメニューを選択する操作をリモコン７０の操作キー部９５で行なうと、図１２（ａ）に示すように、ファイル管理画面１１０Ａが表示部６４に表示される。このファイル管理画面１１０Ａでは、その左辺に沿う縦長のファイル領域１１１が設定され、これにＴＶ受像機の装置本体６０の記憶部６３に記録されている各録画番組に対するファイルアイコンが「ファイル１」アイコン，「ファイル２」アイコン，「ファイル３」アイコン，「ファイル４」アイコン，「ファイル５」アイコン，……として縦方向に配列されて表示されている。同様にして、ファイル管理画面１１０Ａの右辺に沿う縦長のフォルダ領域１１２が設定され、これにＴＶ受像機の装置本体６０に接続された記録機能を備えた、例えば、３個の外部デバイスに対する機能実行エリアとしてのフォルダアイコンが「フォルダＡ」アイコン，「フォルダＢ」アイコン，「フォルダＣ」アイコンとして縦方向に配列されて表示されている。そして、これらファイル領域１１１とフォルダ領域１１２との間に、上記の３つの操作モードに対する操作モードアイコン、即ち、「見る」モードアイコン１１３，「コピー」モードアイコン１１４，「移動」モードアイコン１１５が縦方向に配列して表示されている。そして、ファイル領域１１１では、枠状のカーソル１１６によってファイルアイコンのいずれか１つがフォーカス（選択）された状態にあり、同様に、フォルダ領域１１２でも、フォルダアイコンのいずれか１つが枠状のカーソル１１７によってフォーカス（選択）された状態にある。
【０１０９】
かかるファイル管理画面１１０Ａでは、リモコン７０のモード操作部９４（図１３（ａ））により、ファイル領域１１１でのファイルアイコンのいずれかを選択して「見る」モードアイコン１１３にドラッグ・アンド・ドロップする「見る」モードの操作を行なうと、この選択したファイルアイコンのファイルをＴＶ受像機の装置本体の表示部６４と音声出力部６５とで再生することができるし、また、ファイル領域１１１でのファイルアイコンのいずれかを選択して、フォルダ領域１１２でフォルダアイコンのいずれかを選択し、選択したファイルアイコンを「コピー」モードアイコン１１４を介して選択したフォルダアイコンにドラッグ・アンド・ドロップを行なうと、この選択したファイルアイコンのファイルを選択したフォルダアイコンのフォルダにコピーすることができるし、さらに、ファイル領域１１１でのファイルアイコンのいずれかを選択して、フォルダ領域１１２でフォルダアイコンのいずれかを選択し、選択したファイルアイコンを「移動」モードアイコン１１５を介して選択したフォルダアイコンにドラッグ・アンド・ドロップを行なうと、この選択したファイルアイコンのファイルを選択したフォルダアイコンのフォルダに移動させるすることができる。この場合、先の実施形態と同様、「コピー」モード操作を行なった場合には、ファイル領域１１１にファイルアイコンが残って、ＴＶ受像機の装置本体６０での記憶部６３（図９）にファイルがそのまま残っており、「移動」モード操作を行なった場合には、ファイル領域１１１にファイルアイコンが残っておらず、ＴＶ受像機の装置本体６０での記憶部６３（図９）からファイルが削除される。
【０１１０】
かかるモード操作を可能とするために、リモコン７０のモード操作部９４は、図１３（ａ）に示すように、ファイル領域１１１でのファイルを選択するための縦長のファイル領域スライド部９４ａと、フォルダ領域１１２でのフォルダアイコンを選択するための縦長のフォルダ領域スライド部９４ｂと、ファイル領域スライド部９４ａに連結した横長の見るモード操作のための「見る」モードスライド部９４ｃと、ファイル領域スライド部９４ａとフォルダ領域スライド部９４ｄとに連結した横長のコピーモード操作のための「コピー」モードスライド部９４ｄと、ファイル領域スライド部９４ａとフォルダ領域スライド部９４ｄとに連結した横長の移動モード操作のための「移動」モードスライド部９４ｅとから構成されている。
【０１１１】
いま、ファイル領域１１１での「ファイル５」アイコンをフォルダ領域１１２での「フォルダＣ」アイコンに移動させる場合を例にとると、図１３（ｂ）に示すように、指先１０１でモード操作部９４のファイル領域スライド部９４ａに、図１０（ｃ）に示すように、タッチしてそのまま矢印で示す下方向に指先１０１をスライドさせると、図１２（ｂ）に示すように、指先１０１のスライド方向と同じ下方向にファイル領域１１１内をカーソル１１６がスライドする。これにより、ファイル領域１１１内の任意のファイルアイコンを選択することができ、「ファイル５」アイコンを選択することができる。なお、ここでは、下方向に指先１０１をスライドされたものとしたが、上方向に指先１０１をスライドさせると、ファイル領域１１１内をカーソル１１６が上方向にスライドする。
【０１１２】
また、図１３（ｃ）に示すように、指先１０１でモード操作部９４のファイル領域スライド部９４ａにタッチし、タッチした状態で矢印で示す下方向に指先１０１をスライドさせると、図１２（ｃ）に示すように、指先１０１のスライド方向と同じ下方向にフォルダ領域１１２内をカーソル１１７がスライドする。これにより、フォルダ領域１１２内の任意のフォルダアイコンを選択することができ、目的の「フォルダＣ」アイコンを選択できる。なお、ここでは、下方向に指先１０１をスライドされたものとしたが、上方向に指先１０１をスライドさせると、フォルダ領域１１２内をカーソル１１７が上方向にスライドする。
【０１１３】
しかる後、指先１０１でモード操作部９４の「移動」モードスライド部９４ｅにタッチし、タッチした状態で、図１３（ｄ）に示すように、矢印で示すファイル領域１１１側からフォルダ領域１１２側に指先１０１をスライドさせると、「ファイル５」アイコンが「移動」モードアイコン１１５を介してドラッグされことになり、図１２（ｄ）に示すように、「移動」モードアイコン１１５が枠状のカーソル１１８によってフォーカスされ、指先１０１が「移動」モードスライド部９４ｅのフォルダ領域スライド部９４ｂ側に達すると、カーソル１１７によって選択された「フォルダＣ」アイコンに移動した「ファイル５」アイコン１１９が表示される。
【０１１４】
かかる状態で、図１３（ｆ）に示すように、「移動」モードスライド部９４ｅから指先１０１を離すと、「ファイル５」アイコンが「フォルダＣ」アイコンにドロップされることになり、「ファイル５」アイコンの録画番組が「フォルダＣ」アイコンの外部接続装置に移動したことになる。この場合には、ファイル管理画面１１０Ａでは、図１２（ｆ）に示すように、ファイル領域１１１で移動された「ファイル５」アイコンは削除され、「フォルダＣ」アイコンでの「ファイル５」アイコン１１９も消去され、「ファイル６」アイコン以降のファイルアイコンが、「ファイル５」アイコンが削除されたことによるスペースを埋めるように、詰めて表示される。また、「移動」モードアイコン１１５はフォーカスが解除され、「フォルダＣ」アイコンももとの表示状態に戻る。
【０１１５】
なお、ファイル管理画面１１０Ａが図１２（ｄ）に示す状態となった直後の指先１０１が図１３（ｄ）に示す状態にあるとき、図１３（ｅ）に示すように、同じ「移動」モードスライド部９４ｅに沿って指先１０１を上記とは逆方向にスライドさせると、図１２（ｅ）に示すように、「フォルダＣ」アイコンに移動した「ファイル５」アイコンはもとのファイル領域１１１に戻る。
【０１１６】
同様にして、モード操作部９４の「コピー」モードスライド部９４ｄで指先をスライドさせることにより、ファイル領域１１１での選択したファイルアイコンをフォルダ領域１１２での選択したフォルダにコピーすることができ、また、モード操作部９４の「見る」モードスライド部９４ｃで指先をスライドさせることにより、ファイル領域１１１での選択したファイルアイコンの録画番組を表示部６４と音声出力部６５（図９）とで再生表示させることができる。
【０１１７】
このように、この第４の実施形態では、ファイル管理画面１１１でのファイルアイコンやフォルダアイコン，操作モードアイコンの配列に対応したスライド部からなるリモコンでのスライド操作部のタッチ操作により、複数の操作モードを選択的に行なうことができ、どのスライド部を用いるかの判断が容易であって、手間のかからない操作が可能となる。
【０１１８】
図１４は図９に示すＴＶ受像機に用いられる本発明による画面表示方法の第５の実施形態を示す図であって、１１０Ｂはファイル管理画面、１２０は操作モード領域、１２１はカーソルであり、図１２に対応する部分には同一符号を付けて重複する説明を省略する。
【０１１９】
図１５は図１４でのファイル管理画面１１０Ｂに対するリモコン７０のモード操作部９４の操作状態を示す図であって、１２２ａはファイル領域スライド部、１２２ｂはフォルダ領域スライド部、１２２ｃは操作モード領域スライド部、１２２ｄは操作モードアイコン選択スライド部である。
【０１２０】
この第５の実施形態でも、先の第４の実施形態と同様、ＴＶ受像機の装置本体６０の記憶部６３（図９）に記憶されている録画番組情報をファイルとして、ＴＶ受像機の装置本体６０に接続される記憶機能を有する外部装置８０（図９）をフォルダとして表わされるものであり、また、操作モードも先の第４の実施形態と同様である。
【０１２１】
また、リモコン７０も、図１３に示す第４の実施形態でのリモコン７０と同様の構成をなすものであるが、モード選択部９４の構造が異なるものである。即ち、図１５（ａ）に示すように、ファイル領域１１１でのファイルを選択するための半円弧状のファイル領域スライド部１２２ａと、フォルダ領域１１２でのフォルダアイコンを選択するための半円弧状のフォルダ領域スライド部１２２ｂと、横長の操作モード領域スライド部１２２ｃと、縦長の操作モードアイコン選択スライド部１２２ｄとを備え、２つの半円弧状のファイル領域スライド部１２２ａとフォルダ領域スライド部１２２ｂとで円形状を形成し、かかる円形状内でフォルダ領域スライド部１２２ｂと操作モードアイコン選択スライド部１２２ｄとが交差するように設けられた構成をなしている。
【０１２２】
先の第４の実施形態と同様にして、図１４（ａ）に示すファイル管理画面１１０Ｂが表示部６４に表示される。このファイル管理画面１１０Ｂは、操作モードアイコン１１３〜１１５が配列される縦長の領域を操作モード領域１２０として、この操作モード領域１２０内の操作モードアイコン１１３〜１１５のいずれか１つが枠状のカーソル１２１によってフォーカス（選択）されている。これ以外は、先の第４の実施形態での図１２に示すファイル管理画面１１０Ａと同様である。ここで、このファイル管理画面１１０Ｂでは、カーソル１１６によって「ファイル４」アイコンが、カーソル１１７によって「フォルダＢ」アイコンが、カーソル１２１によって「コピー」モードアイコン１１４が夫々フォーカスされているものとする。
【０１２３】
図１５（ａ）は図１４（ａ）に示すようにファイル管理画面１１０Ｂが表示されてリモコン７０のモード操作部９４が操作されないときの状態を示すものであって、いま、図１４（ａ）に示すファイル管理画面１１０Ｂのファイル領域１１１での「ファイル５」アイコンをフォルダ領域１１２での「フォルダＣ」アイコンに移動させる場合を例にとると、図１５（ｂ）に示すように、指先１０１でモード操作部９４の右側半円弧部分であるフォルダ領域スライド部１２２ｂにタッチし、タッチした状態で矢印で示す下方向に指先１０１をスライドさせると、図１４（ｂ）に示すように、指先１０１のスライド方向と同じ下方向にフォルダ領域１１２内をカーソル１１７がスライドする。また、上方向に指先１０１をスライドさせると、フォルダ領域１１２内をカーソル１１７が上方向にスライドする。これにより、フォルダ領域１１２内の任意のフォルダアイコンを選択することができ、従って、目的の「フォルダＣ」アイコンを選択できる。
【０１２４】
次に、図１５（ｃ）に示すように、指先１０１でモード操作部９４の左側半円弧部分であるファイル領域スライド部１２２ａにタッチし、タッチした状態で矢印で示す下方向に指先１０１をスライドさせると、図１４（ｃ）に示すように、指先１０１のスライド方向と同じ下方向にファイル領域１１１内をカーソル１１６がスライドする。また、上方向に指先１０１をスライドさせると、ファイル領域１１１内をカーソル１１６が上方向にスライドする。これにより、ファイル領域１１１内の任意のファイルアイコンを選択することができ、従って、「ファイル５」アイコンを選択することができる。
【０１２５】
次に、図１５（ｄ）に示すように、指先１０１でモード操作部９４の縦長の操作モードアイコン選択部１２２ｄにタッチし、タッチした状態で矢印で示す下方向に指先１０１をスライドさせると、図１４（ｄ）に示すように、指先１０１のスライド方向と同じ下方向に操作モード領域１２０内をカーソル１２１がスライドする。また、上方向に指先１０１をスライドさせると、ファイル領域１１１内をカーソル１１６が上方向にスライドする。これにより、操作モード領域１２０内の任意の操作モードアイコンを選択することができ、目的の「移動」モードアイコンを選択できる。
【０１２６】
しかる後、指先１０１でモード操作部９４の横長の操作モードスライド部１２２ｄにタッチし、タッチした状態で、図１５（ｅ）に示すように、矢印で右方向に指先１０１をスライドさせると、「ファイル５」アイコンがカーソル１２１で選択された「移動」モードアイコン１１５を介して「フォルダＣ」アイコンにドラッグされことになり、図１４（ｅ）に示すように、指先１０１がフォルダ領域スライド部１２２ｂ側に達すると、カーソル１１７によって選択された「フォルダＣ」アイコンに移動した「ファイル５」アイコン１２０が表示される。
【０１２７】
かかる状態で、操作モードスライド部１２２ｄから指先１０１を離すと、「ファイル５」アイコンが「フォルダＣ」アイコンにドロップされることになり、「ファイル５」アイコンの録画番組が「フォルダＣ」アイコンのデバイスに移動したことになる。この場合には、ファイル管理画面１１０Ｂでは、図１４（ｅ）に示すように、ファイル領域１１１で移動された「ファイル５」アイコンは削除され、「フォルダＣ」アイコンでの「ファイル５」アイコン１２０も消去され、「ファイル６」アイコン以降のファイルアイコンが、「ファイル５」アイコンが除かれたことによるスペースを埋めるように、詰めて表示される。
【０１２８】
なお、ファイル管理画面１１０Ｂが図１４（ｄ）に示す状態となった直後の指先１０１が図１５（ｅ）に示す状態になったとき、同じ操作モード領域スライド部１２２ｃに沿って指先１０１を上記とは逆方向にスライドさせると、図１４（ｄ）に示す状態に戻り、「フォルダＣ」アイコンに移動した「ファイル５」アイコンはもとのファイル領域１１１に戻る。
【０１２９】
また、モード操作部９４の操作モードアイコン選択スライド部１２２ｄを指先１０１でスライド操作して「コピー」モードアイコン１１４を選択して選択モードスライド部１２２ｃを指先１０１でスライド操作したときも、ファイル領域１１１での選択したファイルアイコンをフォルダ領域１１２での選択したフォルダにコピーすることができ、また、「見る」モードアイコン１１３を選択して選択モードスライド部１２２ｃを指先１０１でスライド操作したときも、ファイル領域１１１での選択したファイルアイコンの録画番組を表示部６４と音声出力部６５（図９）とで再生表示させることができる。
【０１３０】
このように、この第５の実施形態でも、先の第４の実施形態と同様の効果が得られる。
【０１３１】
ところで、図１０，図１１に示す構成のタッチパネル９６を用いたモード操作部９４としては、可能とする操作モードの種類などに応じて種々の形状のものとすることができる。
【０１３２】
図１６はタッチパネル９６を用いたモード操作部９４の他の具体例を示す図であって、９４ｆは「除去」モードスライド部、９４ｇは連結スライド部、９４ｈは「見る」モード操作部、９４ｉは「コピー」モード操作部、９４ｊは「移動」モード操作部、９４ｋはファイルスクロール部、９４ｌはフォルダスクロール部、９４ｍはファイルアイコンスクロール部、９４ｎはフォルダアイコンスクロール部、９４ｓｔはストップ片である。
【０１３３】
図１６（ａ）は操作モードとして、例えば、「見る」モードと１つの操作モードだけが実行可能な場合のモード操作部９４であり、縦長のファイル領域スライド部９４ａと横長の「見る」モードスライド部９４ｃとからなるものである。
【０１３４】
図１６（ｂ）は操作モードとして、「移動」モードあるいは「コピー」モードなどのフォルダへのドラッグ・アンド・ドロップ操作する操作モードが１つ実行可能な場合のモード操作部９４であって、縦長のファイル領域スライド部９４ａとフォルダ領域スライドブ９４ｂ、横長の「コピー」または「移動」モードスライド部９４ｄまたは９４ｅとからなるものである。
【０１３５】
図１６（ｃ）は操作モードとして、「移動」モードと「コピー」モードといったフォルダへのドラッグ・アンド・ドロップ操作する操作モードが２つ実行可能な場合のモード操作部９４であって、縦長のファイル領域スライド部９４ａとフォルダ領域スライドブ９４ｂ、横長の「コピー」モードスライド部９４ｄと「移動」モードスライド部９４ｅとからなるものである。
【０１３６】
図１６（ｄ）は操作モードとして、「除去」モードと「移動」モードあるいは「コピー」モードなどのフォルダへのドラッグ・アンド・ドロップ操作する１つの操作モードとが実行可能な場合のモード操作部９４であって、縦長のファイル領域スライド部９４ａとフォルダ領域スライドブ９４ｂ、横長の「コピー」または「移動」モードスライド部９４ｄまたは９４ｅと、横長の途中で終わる「除去」モードスライド部９４ｆとからなるものである。
【０１３７】
図１６（ｅ）は操作モードとして、「見る」モードと「コピー」モードあるいは「移動」モードなどのフォルダへのドラッグ・アンド・ドロップ操作する１つの操作モードとが実行可能な場合のモード操作部９４であって、縦長のファイル領域スライド部９４ａと、このファイル領域スライド部９４ａと連結スライド部９４ｇを介して連結された半円状の「見る」モード操作部９４ｈと同じく「コピー」または「移動」モード操作部９４ｉまたは９４ｊとからなるものである。
【０１３８】
図１６（ｆ）は操作モードとして、「見る」モードと「コピー」モードと「移動」モードとの３つの操作モードとが実行可能な場合のモード操作部９４であって、半円弧状のファイル領域スライド部１２２ａ，フォルダ領域スライド部９４ｂと、半円状の「見る」モード操作部９４ｈ，「コピー」モード操作部９４ｉ，「移動」モード操作部９４ｊとからなるものである。
【０１３９】
図１６（ｇ）は、図１５に示すモード操作部９４において、ファイル領域スライド部１２２ａ，フォルダ領域スライド部９４ｂを操作モードアイコンスライド部１２２ｄに平行な縦長のスライド部としたものである。
【０１４０】
図１６（ｈ）は操作モードとして、「移動」モードあるいは「コピー」モードなどのフォルダへのドラッグ・アンド・ドロップ操作する操作モードが１つ実行可能な場合のモード操作部９４であって、横長の「コピー」または「移動」モードスライド部９４ｄまたは９４ｅと、この「コピー」または「移動」モードスライド部９４ｄまたは９４ｅの一方の端部側のファイルアイコンスクロール部９４ｋと、他方の端部側のフォルダアイコンスクロール部９４ｌとからなるものである。ここで、ファイルアイコンスクロール部９４ｋやフォルダアイコンスクロール部９４ｌは、例えば、スクロールボタンである。
【０１４１】
図１６（ｉ）も操作モードとして、「移動」モードあるいは「コピー」モードなどのフォルダへのドラッグ・アンド・ドロップ操作する操作モードが１つ実行可能な場合のモード操作部９４であって、横長の「コピー」または「移動」モードスライド部９４ｄまたは９４ｅと、この「コピー」または「移動」モードスライド部９４ｄまたは９４ｅの一方の端部側のリモコン７０の表面から突出した半円板状のファイルアイコンスクロール部９４ｍと、他方の端部側のリモコン７０の表面から突出した半円板状のフォルダアイコンスクロール部９４ｎとからなるものである。ここで、ファイルアイコンスクロール部９４ｍやフォルダアイコンスクロール部９４ｎは、例えば、スクロールホイールである。
【０１４２】
ところで、以上のようなモード操作部９４において、操作モードを実行可能にしたり、実行できなくしたりしたい場合がある。図１６（ｊ）はそのための手段の一具体例を示す図であって、図１６（ｂ）に示すモード操作部９４を例に示したものである。
【０１４３】
同図において、「コピー」または「移動」モードスライド部９４ｄまたは９４ｅにストップ片９４ｓｔを設け、これを指先で押圧することにより、押圧する毎に突出したり、引っ込んだりすることができるようにしている。ストップ片９４ｓｔが突出しているときには、「コピー」または「移動」モードスライド部９４ｄまたは９４ｅにタッチして指先をスライドさせるとき、このストップ片９４ｓｔで指先が一瞬「コピー」または「移動」モードスライド部９４ｄまたは９４ｅから離れることにより、操作モードが解消されてできなくなり、ストップ片９４ｓｔが引っ込んでいるときには、指先を「コピー」または「移動」モードスライド部９４ｄまたは９４ｅから離れることなくスライドさせることができ、これにより、操作モードが実行可能となる。
【０１４４】
図１７は上記モード操作部９４を備えたデバイスの具体例を概略的に示すものであって、同図（ａ）はＴＶ受像機のリモコンを示し、同図（ｂ）は携帯電話を示し、同図（ｃ）は電子辞書などの携帯端末を示し、同図（ｄ）はＰＣのキーボードを示し、同図（ｅ）はカーナビゲーション操作を示すものである。このように、本発明による画面表示方法は、各種のデバイスに適用可能である。
【０１４５】
図１８は図９に示すＴＶ受像機に用いられる本発明による画面表示方法の第６の実施形態を示す図であって、１１０Ｃはファイル管理画面、１２３はカーソル、１２４は「ファイル４」アイコンであり、図１２に対応する部分には同一符号を付けて重複する説明を省略する。
【０１４６】
図１９は図１８でのファイル管理画面１１０Ｃに対するリモコン７０のモード操作部９４の操作状態を示す図であって、１２５ａはファイル領域スライド部、１２５ｂはフォルダ領域スライド部、１２５ｃは操作モード領域スライド部、１２５ｄは操作モードアイコン選択スライド部である。
【０１４７】
この第６の実施形態でも、先の第４の実施形態と同様、ＴＶ受像機を例に説明すると、その装置本体６０の記憶部６３（図９）に記憶されている録画番組情報をファイルとして、ＴＶ受像機の装置本体６０に接続される記憶機能を有する外部装置８０（図９）をフォルダとして表わされるものであり、また、操作モードは、「コピー」モードと「移動」モードとの２つのモードを選択できるものとする。
【０１４８】
また、リモコン７０も、図１３に示す第４の実施形態でのリモコン７０と同様の構成をなすものであるが、モード選択部９４の構造が異なるものである。即ち、図１９（ａ）に示すように、モード選択部９４は、その左辺側にファイル領域１１１でのファイルを選択するための縦長状のファイル領域スライド部１２５ａに区分され、右辺側にフォルダ領域１１２でのフォルダアイコンを選択するための半円弧状のフォルダ領域スライド部１２５ｂに区分され、これらファイル領域スライド部１２５ａとフォルダ領域スライド部１２５ｂとの間の上辺側に、例えば、半円状の「コピー」モード領域スライド部１２５ｃが、同じく下辺部に、例えば、半円状の「移動」モード領域スライド部１２５ｄが夫々設けられている。これらスライド部１２５ａ〜１２５ｄは、例えば、点線の列で示すように、突起状の点列によって区画されている。
【０１４９】
先の第４の実施形態と同様にして、図１８（ａ）に示すファイル管理画面１１０Ｃが表示部６４に表示される。このファイル管理画面１１０Ｃは、ファイル領域１１１とフォルダ領域１１２との間の領域での上辺側に「コピー」モードアイコン１１４が設けられ、同じく下辺側に「移動」モードアイコン１１５が設けられており、これ以外は、先の第４の実施形態での図１２に示すファイル管理画面１１０Ａと同様である。ここで、このファイル管理画面１１０Ｃでは、カーソル１１６によって「ファイル３」アイコンが、カーソル１１７によって「フォルダＢ」アイコンが夫々フォーカス（選択）されているものとする。
【０１５０】
いま、図１８（ａ）に示すファイル管理画面１１０Ｃのファイル領域１１１での「ファイル３」アイコンをフォルダ領域１１２での「フォルダＢ」アイコンに移動させる場合を例にとると、図１９（ｂ）に示すように、指先１０１でモード操作部９４の左辺部のファイル領域スライド部１２５ａにタッチし、タッチした状態で矢印で示す下方向に指先１０１をスライドさせると、図１８（ｂ）に示すように、指先１０１のスライド方向と同じ下方向にファイル領域１１１内をカーソル１１６がスライドする。また、上方向に指先１０１をスライドさせると、ファイル領域１１１内をカーソル１１６が上方向にスライドする。これにより、ファイル領域１１１内の任意のファイルアイコンを選択することができ、従って、目的の「ファイル４」アイコンを選択できる。
【０１５１】
次に、図１９（ｃ）に示すように、指先１０１でモード操作部９４の右辺側のフォルダ領域スライド部１２５ｂにタッチし、タッチした状態で矢印で示す下方向に指先１０１をスライドさせると、図１８（ｃ）に示すように、指先１０１のスライド方向と同じ下方向にフォルダ領域１１２内をカーソル１１７がスライドする。また、上方向に指先１０１をスライドさせると、フォルダ領域１１２内をカーソル１１７が上方向にスライドする。これにより、ファイル領域１１２内の任意のフォルダアイコンを選択することができ、従って、「フォルダＣ」アイコンを選択することができる。
【０１５２】
次に、図１９（ｄ）に示すように、指先１０１でモード操作部９４のファイル領域スライド部１２５ａにタッチし、タッチした状態でモード操作部９４上を「移動」モード領域スライド部１２５ｄを介して指先１０１をスライドさせると（このとき、指先１０１はファイル領域スライド部１２５ａをそれに沿ってスライドするものではないので、上記の選択された「ファイル４」アイコンはそのまま選択された状態にある）、「ファイル４」が「移動」モード領域スライド部１２５ｄへドラッグされるのと同様となって、図１８（ｄ）に示すように、「移動」モードアイコン１１５が枠状のカーソル１２３によってフォーカスされる。そして、図１９（ｄ）において、さらに、指先１０１をモード操作部９４のフォルダ領域スライド部１２５ｂにスライドして、図１９（ｅ）に示すように、指先１０１をフォルダ領域スライド部１２５ｂから離すと、図１８（ｅ）に示すように、選択された「フォルダＣ」に「ファイル４」アイコン１２４が付記されることになる。これにより、「ファイル４」アイコンが「フォルダＣ」アイコンにドラッグ・アンド・ドロップされて移動したことになる。なお、ここでは、ファイル領域スライド部１２５ａから「移動」モード領域スライド部１２５ｄを介してフォルダ領域スライド部１２５ｂに指先１０１をスライドさせるようにしたが、「移動」モード領域スライド部１２５ｄを指先１０１でタッチするだけでも、かかるドラッグ・アンド・ドロップがなされるようにしてもよい。
【０１５３】
しかる後、リモコン７０で決定操作をすると、あるいは所定時間が経過すると（図１９（ｆ）はかかる状態を示す）、「移動」モードが終了し、図１８（ｆ）に示すように、ファイル領域１１１での移動された「ファイル５」アイコンは削除され、「フォルダＣ」アイコンでの「ファイル４」アイコン１２４も消去され、「ファイル５」アイコン以降のファイルアイコンが、「ファイル４」アイコンが除かれたことによるスペースを埋めるように、詰めて表示される。
【０１５４】
なお、ファイル管理画面１１０Ｃが図１８（ｅ）に示す状態となった直後の指先１０１が図１９（ｅ）に示す状態になったとき、「フォルダＣ」アイコンから逆方向に「移動」モードアイコン１１５を介してファイル領域１１１に指先１０１をスライドさせると、図１８（ｄ）に示す状態から図１８（ｃ）に示す状態に戻り、「フォルダＣ」アイコンに移動した「ファイル４」アイコンはもとのファイル領域１１１に戻る。
【０１５５】
また、同様にして、モード操作部９４のファイル領域スライド部１２５ａの選択したファイルアイコンから指先１０１を「コピー」モードアイコン１１４を介してフォルダ領域スライド部１２５ｂの選択したファルダにスライドすることにより、このファイルアイコンをこのフォルダにコピーすることができる。
【０１５６】
このようにして、この第６の実施形態でも、先の第４の実施形態と同様の効果が得られる。
【０１５７】
図２０は図９に示すＴＶ受像機や図１７に示す各種デバイスに用いられる本発明による画面表示方法の第７の実施形態を示す図であって、１１０Ｄはファイル管理画面、１２６はファイル指定領域カーソル、１２７はフォルダ指定領域カーソルであり、図１４に対応する部分には同一符号を付けて重複する説明を省略する。
【０１５８】
図２１は図２０でのファイル管理画面１１０Ｄに対するリモコン７０とそのモード操作部９４の操作状態を示す図であって、１２８ａ〜１２８ｃはファイルアイコン選択ボタン、１２９ａ〜１２９ｃはフォルダアイコン選択ボタンであり、図１７に対応する部分には同一符号を付けて重複する説明を省略する。
【０１５９】
この第７の実施形態でも、先の第４〜第６の実施形態と同様、ＴＶ受像機を例に説明すると、その装置本体６０の記憶部６３（図９）に記憶されている録画番組情報をファイルとして、ＴＶ受像機の装置本体６０に接続される記憶機能を有する外部装置８０（図９）をフォルダとして表わされるものであり、また、操作モードは、「コピー」モードと「移動」モードとの２つのモードを選択できるものとする。
【０１６０】
また、リモコン７０も、図１７に示す第６の実施形態でのリモコン７０と同様の構成をなすものであるが、モード選択部９４の構造が異なるものである。即ち、図２１（ａ）に示すように、モード選択部９４は、図１７に示すリモコン７０と同様、ファイル領域スライド部１２５ａとフォルダ領域スライド部１２５ｂと「コピー」モード領域スライド部１２５ｃと「移動」モード領域スライド部１２５ｄとに区分されているが、ファイル領域スライド部１２５ａにファイルアイコン選択ボタン１２８ａ〜１２８ｃが、フォルダ領域スライド部１２５ｂにフォルダアイコン選択ボタン１２９ａ〜１２９ｃが夫々設けられている。
【０１６１】
先の第４〜第６の実施形態と同様にして、図２０（ａ）に示すファイル管理画面１１０Ｄが表示部６４（図９）に表示される。このファイル管理画面１１０Ｄは、図１８に示すファイル管理画面１１０Ｃと同様、ファイル領域１１１とフォルダ領域１１２と「コピー」モードアイコン１１４と「移動」モードアイコン１１５とが設けられているが、ファイル領域１１１には、複数のファイルアイコンを囲む枠状のファイル指定領域カーソル１２６が設けられ、フォルダ領域１１２にも、複数のフォルダアイコンを囲む枠状のフォルダ指定領域カーソル１２７が設けられている。
【０１６２】
ファイル指定領域カーソル１２６は、ファイル領域１１１でのファイルアイコンのうちの「コピー」モード操作や「移動」モード操作が可能なファイルアイコンを示すものであって、ファイル指定領域カーソル１２６内のファイルアイコンのみがかかるモード操作が可能である。ここで、ファイル指定領域カーソル１２６内のファイルアイコンは夫々図２１（ａ）でのファイル領域スライド部１２５ａのファイルアイコン選択ボタン１２８ａ〜１２８ｃに対応するものであり、ここでは、図２０（ａ）に示すファイル管理画面１１０Ｄでは、ファイル指定領域カーソル１２６は３個のファイルアイコンを囲むものであって、「ファイル２」，「ファイル３」，「ファイル４」の各ファイルアイコンが囲まれているものとする。図２１（ａ）に示すファイル領域スライド部１２５ａのファイルアイコン選択ボタン１２８ａ，１２８ｂ，１２８ｃは夫々、「ファイル２」アイコン，「ファイル３」アイコン，「ファイル４」アイコンに対応する。
【０１６３】
また、ファイル指定領域カーソル１２６内にないファイルアイコンについてモード操作をする場合には、後述するように、ファイル指定領域カーソル１２６をスライドさせてこのファイルアイコンが含まれるようにする。
【０１６４】
フォルダ指定領域カーソル１２７は、ファイル領域１１２でのフォルダアイコンのうちのファイルアイコンのコピーもしくは移動の行先となるフォルダアイコンを示すものであって、フォルダ指定領域カーソル１２７内のフォルダアイコンのみへのかかるモード操作が可能である。ここで、フォルダ指定領域カーソル１２７は、例えば、３個のフォルダアイコンを囲むものとする。図２０（ａ）に示すファイル管理画面１１０Ｄでは、複数のフォルダが設定されているが、ここでは、「フォルダＡ」アイコン，「フォルダＢ」アイコン，「フォルダＣ」アイコンの３個のフォルダアイコンを示し、これら３個のフォルダアイコンがフォルダ指定領域カーソル１２７で囲まれているものとする。従って、これら以外のフォルダアイコンをコピーや移動の行先となるフォルダアイコンとする場合には、後述するように、フォルダ指定領域カーソル１２７をスライドさせてこのフォルダアイコンをフォルダ指定領域カーソル１２７内に含ませるようにする。
【０１６５】
いま、図２０（ａ）に示すファイル管理画面１１０Ｄのファイル領域１１１での「ファイル５」アイコンをフォルダ領域１１２でのフォルダアイコンに移動させる場合を例にとると、図２１（ｂ）に示すように、指先１０１でファイル領域スライド部１２５ａをタッチすることにより、図２０（ｂ）に示すように、タッチしたファイルアイコン選択ボタン１２８ａ〜１２８ｃのいずれか（ここでは、ファイルアイコン選択ボタン１２８ａとする）に対応するファイルアイコン（ここでは、「ファイル３」アイコン）がカーソル１１６でフォーカスされる。
【０１６６】
そして、図２１（ｂ）に示すタッチ状態で、図２１（ｃ）に示すように、指先１０１をファイル領域スライド部１２５ａで下方向にスライドすると、ファイル管理画面１１０Ｄでは、まず、ファイル領域１１１のファイル指定領域カーソル１２６内でカーソル１１６が下方にスライドし、このカーソル１１６がファイル指定領域カーソル１２６内の最も下側に位置するファイルカーソル（このときでは、「ファイル４」カーソル）に達するが、さらに、図２１（ｃ）に示すスライドが行なわれと、カーソル１６とともにファイル指定領域カーソル１２６も下方にスライドし、ファイル指定領域カーソル１２６内に「ファイル５」カーソルが含まれるようになる。これにより、この「ファイル５」カーソルがモード操作の対象となる。
【０１６７】
なお、図２１（ｃ）で上方向に指先１０１をスライドさせると、ファイル領域１１１内をカーソル１１６が上方向にスライドし、このカーソル１１６がファイル指定領域カーソル１２６の最も上のファイルアイコンに達すると、ファイル指定領域カーソル１２６がカーソル１１６とともに上方向にスライドすることにより、ファイル指定領域カーソル１２６より上側にあったファイルアイコンがファイル指定領域カーソル１２６が入り込み、モード操作の対象となる。
【０１６８】
次に、図２１（ｄ）に示すように、指先１０１でモード操作部９４の右辺側のフォルダ領域スライド部１２５ｂのフォルダアイコン選択ボタン１２９ａ〜１２９ｃのいずれか（ここでは、フォルダアイコン選択ボタン１２９ｃとする）にタッチすると、図２０（ｄ）に示すように、フォルダ領域１１２のフォルダ指定領域カーソル１２７内の該当する「フォルダｃ」アイコンがカーソル１１７でフォーカスされ、さらに、図２１（ｄ）で指先１０１をタッチしたまま矢印に示す上方向にスライドすると、図２０（ｅ）に示すように、フォルダ領域１１２のフォルダ指定領域カーソル１２７内でカーソル１１７が上方向に移動し、希望する「フォルダＢ」アイコンがカーソル１１７でフォーカスされる。
【０１６９】
フォルダ領域１１２でも、ファイル領域１１１と同様、図２１に示すリモコン７０のフォルダ領域スライド部１２５ｂでの指先１０１のスライド操作方向に応じて、フォルダアイコン、従って、フォルダ指定領域カーソル１２７を上方向もしくは下方向にスライドさせることができ、これにより、任意のフォルダアイコンをフォーカス（選択）することができる。
【０１７０】
なお、ファイル指定領域カーソル１２６がカーソル１１６やフォルダ指定領域カーソル１２７のカーソル１１７は、指先１０１をファイル指定領域カーソル１２６もしくはフォルダ指定領域カーソル１２７から離すと（タッチをやめると）、表示されなくなる。
【０１７１】
しかる後、「ファイル５」アイコンの「フォルダＢ」への「移動モード」を実行するために、図２１（ｅ）に示すように、指先１０１でモード操作部９４のファイル領域スライド部１２５ａでの移動モードの対象となる「ファイル５」アイコンに対応するファイルアイコン選択ボタン１２８ｃに指先１０１でタッチすると、図２０（ｆ）に示すように、ファイル指定領域カーソル１２６において、「ファイル５」アイコンがカーソル１１６でフォーカスされる。これにより、移動の対象のアイコンを確認できる。
【０１７２】
そして、図２１（ｅ）に示すように、指先１０１をタッチした状態でモード操作部９４上を「移動」モード領域スライド部１２５ｄにスライドさせると（これにより、「ファイル５」をフォーカスしていたカーソル１１６は消える）、「ファイル４」アイコンが「移動」モード領域スライド部１２５ｄへドラッグされるのと同様となって、図２０（ｆ）に示すように、「移動」モードアイコン１１５が枠状のカーソル１２３によってフォーカスされる。
【０１７３】
そして、さらに、図２１（ｄ）において、指先１０１をモード操作部９４のフォルダ領域スライド部１２５ｂの「フォルダＢ」アイコンに該当するフォルダアイコン選択ボタン１２９ｂにスライドさせると、図２０（ｆ）に示すように、この「フォルダＢ」アイコンがカーソル１１７でフォーカスされる。これにより、移動先のフォルダが正しく選択されたか否かを確認できる。間違ったにフォルダアイコン選択ボタンに指先１０１をスライドしたときには、タッチしたまま正しいフォルダアイコン選択ボタンに指先１０１をスライドさせればよい。
【０１７４】
かかる「移動」モードの操作がなされたときには、指先を移動先の「フォルダＢ」アイコンに対応するフォルダアイコン選択ボタン１２９ｂにタッチした状態にある限り、図２０（ｆ）に示すように、ファイル指定領域カーソル１２６で「移動」モードの対象しなった「ファイル５」アイコンがカーソル１１６によってフォーカスされ、このときの動作モードアイコンである「移動」モードアイコン１１５がカーソル１２３でフォーカスされ、「ファイル５」アイコンの移動先であるフォルダ指定領域カーソル１２７での移動先である「ファイルＢ」アイコンがカーソル１１７でフォーカスされており、この「移動」モードの指定されたファイルの流れを一目で確認できる。
【０１７５】
このように指先１０１をスライドさせることにより、「ファイル５」アイコンが「移動」モードアイコン１１５を介して「フォルダＢ」アイコンにドラッグ・アンド・ドロップされたことになるが、指先１０１を「移動」モードアイコン１１５にタッチさせるだけで、同様のドラッグ・アンド・ドロップが行なわれるようにしてもよい。
【０１７６】
しかる後、モード操作部９４から指先１０１をはずすと、「移動」モードが終了し、図２０（ｅ）のカーソル１１７が消された表示状態のファイル管理画面１１０Ｄとなる。このファイル管理画面１１０Ｄでは、ファイル領域１１１での移動された「ファイル５」アイコンは削除され、「ファイル５」アイコン以降のファイルアイコンが、「ファイル５」アイコンが除かれたことによるスペースを埋めるように、詰めて表示される。
【０１７７】
なお、ファイル管理画面１１０Ｄが図２０（ｆ）に示す状態となった直後の指先１０１が、図２１に示すリモコン７０において、タッチした状態で「フォルダＢ」アイコンから外し、そして、モード操作部９４からはずすと、これまでの「移動」モードの操作がキャンセルされ、「ファイル５」アイコンはもとのファイル領域１１１に残っていることになる。
【０１７８】
また、フォルダアイコンにファイルが登録されている場合、逆に、フォルダ領域スライド部１２７のフォルダアイコンから「移動」モードアイコン１１５を介してファイル領域スライド部１２６に指先１０１をスライドさせた場合には、このフォルダアイコンに登録されているファイルアイコンがファイル領域スライド部１２６に移動する。
【０１７９】
また、以上のことは、「コピー」モード操作についても同様である。
【０１８０】
このようにして、この第７の実施形態でも、先の第４〜第６の実施形態と同様の効果が得られる。
【０１８１】
図２２は図９に示すＴＶ受像機に用いられる本発明による画面表示方法の第８の実施形態を示す図であって、１１０Ｅはファイル管理画面、１１６ａ，１１６ｂはカーソルであり、図２１に対応する部分には同一符号を付けて重複する説明を省略する。
【０１８２】
図２３は図２２でのファイル管理画面１１０Ｅに対するリモコン７０のモード操作部９４の操作状態を示す図であり、図２１に対応する部分には同一符号を付けて重複する説明を省略する。
【０１８３】
この第８の実施形態でも、先の第４〜第７の実施形態と同様、ＴＶ受像機を例に説明すると、その装置本体６０の記憶部６３（図９）に記憶されている録画番組情報をファイルとして、ＴＶ受像機の装置本体６０に接続される記憶機能を有する外部装置８０（図９）をフォルダとして表わされるものであり、また、操作モードは、「コピー」モードと「移動」モードとの２つのモードを選択できるものとするが、複数のファイルアイコンのモード操作を同時に行なうことができるようにしたものである。
【０１８４】
この第８の実施形態でのリモコン７０も、図２１に示す第７の実施形態でのリモコン７０と同様の構成をなすものであるが、モード選択部９４におけるファイル領域スライド部１２５ａのファイルアイコン選択ボタン１２８ａ〜１２８ｃやフォルダ領域スライド部１２５ｂのフォルダアイコン選択ボタン１２９ａ〜１２９ｃは、押し込むことによる決定機能も備えている。
【０１８５】
先の第４〜第７の実施形態と同様にして、図２２（ａ）に示すファイル管理画面１１０Ｅが表示部６４（図９）に表示される。このファイル管理画面１１０Ｅは、図２０（ａ）に示すファイル管理画面１１０Ｄと同様であるので、重複する説明を省略する。
【０１８６】
いま、図２２（ａ）に示すファイル管理画面１１０Ｅのファイル領域１１１での「ファイル２」アイコンと「ファイル４」アイコンをフォルダ領域１１２での移動させる場合を例にとってこの第８の実施形態でのモード操作について説明する。図２０，図２１に示した第７の実施形態の場合には、「ファイル２」アイコン，「ファイル４」アイコン毎に「移動」モードの操作を行なうものであるが、この第８の実施形態では、これら「ファイル２」アイコン及び「ファイル４」アイコンを同時にフォルダ領域１１２の所定のフォルダに移動させることができるものである。
【０１８７】
そこで、図２３（ａ）に示すように、指先１０１でモード操作部９４のファイル領域スライド部１２５ａをタッチすると、図２２（ｂ）の全段階のファイル管理画面として、タッチしたファイルアイコン選択ボタン１２８ａ〜１２８ｃのいずれか（ここでは、ファイルアイコン選択ボタン１２８ａとする）に対応するファイルアイコン（ここでは、「ファイル２」アイコン）がカーソル１１６でフォーカスされる。
【０１８８】
そして、図２３（ｂ）に示すタッチ状態で指先１０１をファイル領域スライド部１２５ａで下方向にスライドすると、ファイル管理画面１１０Ｅでは、図２２（ｂ）に示すように、まず、ファイル領域１１１のファイル指定領域カーソル１２６内でカーソル１１６が下方にスライドし、さらに、このカーソル１１６とともにファイル指定領域カーソル１２６も下方にスライドし、ファイル指定領域カーソル１２６内に「ファイル２」アイコンから「ファイル４」アイコンまでが含まれるようにする。これにより、これら「ファイル２」アイコンと「ファイル４」カーソルとがモード操作の対象となる（図示しないが、図２２（ｂ）と図２２（ｃ）との間の状態）。
【０１８９】
そして、図２３（ｃ）に示すように、ファイルアイコン選択ボタン１２８ａを押し込むようにして決定操作すると、図２２（ｃ）に示すように、ファイル管理画面１１０Ｅのファイル領域１１１において、「移動」モード操作の対象となる「ファイル２」アイコンがカーソル１１６ａでフォーカスされ、これとともに、このカーソル１１６ａ内が白黒反転や特定の色の着色などにより、「ファイル２」アイコンが操作モードの対象アイコンであることが決定される。
【０１９０】
次に、指先１０１をモード操作部９４でタッチしたままファイルアイコン選択ボタン１２８ｃまでスライドし、図２３（ｄ）に示すように、指先でこのファイルアイコン選択ボタン１２８ｃを押し込むようにして決定操作すると、図２２（ｄ）に示すように、ファイル管理画面１１０Ｅのファイル領域１１１において、「移動」モード操作の対象となる「ファイル４」アイコンがカーソル１１６ｂでフォーカスされ、これとともに、このカーソル１１６ｂ内が白黒反転や特定の色の着色などにより、「ファイル４」アイコンが操作モードの対象アイコンであることが決定される。
【０１９１】
これにより、「ファイル２」アイコンと「ファイル４」アイコンとがモード操作の対象のアイコンとして決定されたことになる。このように決定操作された後では、指先１０１をモード操作部９４から離しても、この決定はそのまま維持される。この決定を解除するためには、例えば、該当するファイルアイコン選択ボタンを再度決定操作することによって可能とすることができる。次に説明するフォルダアイコン選択ボタンについても同様である。
【０１９２】
次に、図２３（ｅ）に示すように、モード操作部９４でのフォルダ領域スライド部での所定のフォルダアイコン選択ボタン、例えば、フォルダアイコン選択ボタン１２９ｂを押し込むようにして決定操作をすると、図２２（ｅ）に示すように、ファイル管理画面１１０Ｅのフォルダ領域スライド部１２７でのこのフォルダアイコン選択ボタン１２９ｂに該当する「フォルダＢ」アイコンがカーソル１１７によってフォーカスされ、これとともに、このカーソル１１７内が白黒反転や特定の色の着色などすることにより、「フォルダＢ」アイコンが操作モードでの対象フォルダであることが決定される。
【０１９３】
しかる後、図２３（ｆ）に示すように、ファイル領域スライド部１２５ａに指先１０１でタッチし、指先１０１をタッチしたままモード操作部９４上を「移動」モード領域スライド部１２５ｄを介してフォルダ領域スライド部１２５ｂにスライドさせると、図２２（ｆ）において、ファイル領域１１１のファイル指定領域カーソル１２６内での上記の決定された「ファイル２」アイコンと「ファイル４」アイコンとが同時に「移動」アイコン１１５を介してフォルダ領域１１２にドラッグされるのと同様となって、「移動」モードアイコン１１５が枠状のカーソル１２３によってフォーカスされ、カーソル１２３内が白黒反転や特定の色の着色などすることにより、「移動」モードが行なわれたことが表示される。この「移動」モードが行なわれると、図２２（ｆ）に示すように、ファイル指定領域カーソル１２６内で移動された「ファイル２」アイコンと「ファイル４」アイコンとが消去される。
【０１９４】
このように指先１０１をスライドさせることにより、「ファイル２」アイコンと「ファイル４」アイコンとが「移動」モードアイコン１１５を介して「フォルダＢ」アイコンにドラッグ・アンド・ドロップされたことになるが、指先１０１を「移動」モードアイコン１１５にタッチさせるだけで、同様のドラッグ・アンド・ドロップが行なわれるようにしてもよい。
【０１９５】
そして、図２３（ｆ）に示す状態でモード操作部９４のフォルダ領域スライド部１２５ｂから指先１０１をはずすと、「移動」モードが終了し、図２２（ｆ）に示すファイル管理画面１１０Ｅにおいて、ファイル指定領域カーソル１２６内では、「ファイル２」アイコンと「ファイル４」アイコンとが消去されたことによるスペースが他のファイルアイコンによって詰められて３個のファイルアイコンが含まれた状態となり、「移動」モードアイコンがカーソル１２３が消去されてもとの表示状態となり、フォルダ指定領域カーソル１２７でのカーソル１２７が消去される。
【０１９６】
なお、ファイル管理画面１１０Ｅが図２２（ｆ）に示す状態となった直後の指先１０１が、図２３（ｆ）に示すリモコン７０において、タッチしたままの状態で「移動」モードアイコン１１５に戻すと、これまでの「移動」モードの操作がキャンセルされ、「ファイル５」アイコンはもとのファイル領域１１１に残っていることになる。
【０１９７】
また、フォルダアイコンにファイルが登録されている場合、以上の操作とは逆に、フォルダ領域スライド部１２７のフォルダアイコンから「移動」モードアイコン１１５を介してファイル領域スライド部１２６に指先１０１をスライドさせた場合には、このフォルダアイコンに登録されているファイルアイコンがファイル領域スライド部１２６に移動する。
【０１９８】
また、以上のことは、「コピー」モード操作についても同様である。
【０１９９】
このようにして、この第８の実施形態でも、先の第４〜第７の実施形態と同様の効果が得られるとともに、複数のファイルをまとめて同時にフォルダに移動させることができる。
【０２００】
図２４は図９に示すＴＶ受像機や図１７に示す各種デバイスに用いられる本発明による画面表示方法の第９の実施形態を示す図であって、１１０Ｆはファイル管理画面、１３０，１３１はフォルダ領域、１３２はカーソルである。
【０２０１】
図２５は図２４でのファイル管理画面１１０Ｆに対するリモコン７０とそのモード操作部９４の操作状態を示す図であって、９４ｙはフォルダ選択スライド部、９４ｘは次階層選択スライド部であり、前出図面に対応する部分には同一符号をつけて重複する説明を省略する。
【０２０２】
この第９の実施形態は、先の実施形態と同様、ＴＶ受像機を例に説明すると、その装置本体６０の記憶部６３（図９）に記憶されている録画番組情報をファイルとし、各ファイルが各フォルダに格納されているものであるが、かかるファルダは階層構造をなしており、所望の階層のフォルダを選択してそのファイルを開くことができるようにしたものである。
【０２０３】
また、リモコン７０は、先の各実施形態でのリモコン７０と同様の構成をなすものであるが、モード選択部９４の構造が異なるものである。即ち、図２５（ａ）に示すように、モード選択部９４は、フォルダを選択するためのフォルダ選択スライド部９４ｙと次の階層のフォルダを指定するための次階層選択スライド部９４ｘとからなっている。
【０２０４】
先の各実施形態と同様にして、図２４（ａ）に示すファイル管理画面１１０Ｆが表示部６４に表示される。このファイル管理画面１１０Ｆは、最上位の階層のフォルダのフォルダアイコン（ここでは、「フォルダＡ」，「フォルダＢ」，「フォルダＣ」アイコンとしている）が縦方向に配列して表示されるフォルダ領域１３０が表示され、そのうちの１つのフォルダアイコン（ここでは、「ファイルＡ」アイコン）が枠状のフォーカス１３２によってフォーカス（選択）されている。
【０２０５】
いま、図２４（ａ）に示すフォルダ領域１３０での「フォルダＢ」アイコンの下位階層のフォルダのファイルを開く場合を例にとると、図２５（ｂ）に示すように、指先１０１でモード操作部９４のフォルダ選択スライド部９４ｙにタッチし、タッチした状態で矢印で示す下方向に指先１０１をスライドさせると、図２４（ｂ）に示すように、指先１０１のスライド方向と同じ下方向にフォルダ領域１３０内をカーソル１３２がスライドする。また、上方向に指先１０１をスライドさせると、フォルダ領域１３０内をカーソル１３２が上方向にスライドする。これにより、フォルダ領域１３０内の任意のフォルダアイコンを選択することができ、従って、目的の「フォルダＢ」アイコンを選択できる。
【０２０６】
次に、図２５（ｃ）に示すように、指先１０１でモード操作部９４の次階層選択スライド部９４ｘの左端部、即ち、フォルダ選択スライド部９４ｙ側にタッチし、タッチした状態で矢印で示す右方向に指先１０１をスライドさせると、図２４（ｃ）に示すように、目的の「フォルダＢ」アイコンの１つ下位の階層のフォルダアイコンが縦方向に配列されてなるフォルダ領域１３１が表示される。
【０２０７】
この下位階層のフォルダ領域１３１では、例えば、「フォルダＢ１」アイコン，「フォルダＢ２」アイコン，「フォルダＢ３」アイコンの３つのフォルダアイコンが表示されており、そのうちの１つ、例えば、「フォルダＢ１」アイコンがカーソル１３３によってフォーカス（選択）されている。このように下位階層のフォルダ領域１３１が表示されると、リモコン７０のモード操作部９４はこのフォルダ領域１３１に対して有効であり、モード操作部９４で上記の動作を行なうと、さらに、フォルダ領域１３１で選択されているフォルダアイコン（例えば、「フォルダＢ１」）の階層が１つ下位のフォルダアイコンからなるフォルダ領域が表示される。この表示されたフォルダ領域、即ち、指定された最下位の階層のフォルダ領域に対してリモコン７０のモード操作部９４が有効である。
【０２０８】
また、図２４（ｃ）で示すファイル管理画面１１０Ｆにおいて、選択されている「フォルダＢ１」アイコンのフォルダにファイルが登録されているときには、図２５（ｃ）に示すようにスライド操作を行なうと、ファイル管理画面１１０Ｆには、この選択されている「フォルダＢ１」アイコンのフォルダに登録されているファイルのファイルアイコンが展開表示される。そして、そのうちの１つをモード操作部９４のフォルダ選択スライド部９４ｙをスライド操作して選択し、次階層選択スライド部９４ｘの右端部を指先１０１で押し込む操作をすると、選択されたファイルアイコンのファイルが開かれる。
【０２０９】
また、例えば、ファイル管理画面１１０Ｆが図２４（ｃ）に示す表示状態で、図２５（ｄ）に示すように、次階層選択スライド部９４ｘの右端部を指先１０１でタッチし、そのまま右方向、即ち、フォルダ選択スライド部９４ｙ側にスライドすると、ファイル管理画面１１０Ｆは図２４（ｃ）に示す表示状態から図２４（ｄ）に示す状態に移り、階層が１つ上位のフォルダアイコンからなるフォルダ領域１３０に表示が移ることになる。
【０２１０】
このように、この第９の実施形態では、モード操作部９４をスライド操作するという簡単な方法でもって所望階層のフォルダを検索することができ、そのフォルダのファイルを取得することができる。
【図面の簡単な説明】
【０２１１】
【図１】本発明による画面表示方法を用いる装置の一例としてのＰＣのシステム構成を概略的に示すブロック図でである。
【図２】本発明による画面表示方法の第１の実施形態による図１における記憶部に記憶されているファイルをコピー操作するときのファイル管理画面を示すものである。
【図３】本発明による画面表示方法の第１の実施形態による図１における記憶部に記憶されているファイルを移動操作するときのファイル管理画面を示すものである。
【図４】本発明による画面表示方法の第１の実施形態によるフォルダに格納したファイルを図１における記憶部に戻すアンドゥ操作をするときのファイル管理画面を示すものである。
【図５】本発明による画面表示方法の第１の実施形態によるフォルダに格納されているファイルを記憶部４に移動させるアンドゥ操作をするときのファイル管理画面を示すものである。
【図６】本発明による画面表示方法の第１の実施形態による図１における表示部に表示される管理ファイル画面の他の具体例を示す図である。
【図７】本発明による画面表示方法の第２の実施形態を示す図である。
【図８】本発明による画面表示方法の第３の実施形態を示す図である。
【図９】本発明による画面表示方法を用いたＴＶ受像機の構成を示すブロック図である。
【図１０】図９におけるリモコンの一具体例を示す図である。
【図１１】図９におけるリモコン７０の他の具体例を示す断面図である。
【図１２】図９に示すＴＶ受像機に用いられる本発明による画面表示方法の第４の実施形態を示す図である。
【図１３】図１２でのファイル管理画面に対するリモコンとそのモード操作部の操作状態を示す図である。
【図１４】図９に示すＴＶ受像機に用いられる本発明による画面表示方法の第５の実施形態を示す図である。
【図１５】図１４でのファイル管理画面に対するリモコンとそのモード操作部の操作状態を示す図である。
【図１６】タッチパネルを用いたモード操作部の他の具体例を示す図である。
【図１７】モード操作部を備えたデバイスの具体例を概略的に示すものである。
【図１８】図９に示すＴＶ受像機や図１７に示す各種デバイスに用いられる本発明による画面表示方法の第６の実施形態を示す図である。
【図１９】図１６でのファイル管理画面に対するリモコンとそのモード操作部の操作状態を示す図である。
【図２０】図９に示すＴＶ受像機や図１７に示す各種デバイスに用いられる本発明による画面表示方法の第７の実施形態を示す図である。
【図２１】図２０でのファイル管理画面に対するリモコンとそのモード操作部の操作状態を示す図である。
【図２２】図９に示すＴＶ受像機や図１７に示す各種デバイスに用いられる本発明による画面表示方法の第８の実施形態を示す図である。
【図２３】図２２でのファイル管理画面に対するリモコンとそのモード操作部の操作状態を示す図である。
【図２４】図９に示すＴＶ受像機や図１７に示す各種デバイスに用いられる本発明による画面表示方法の第９の実施形態を示す図である。
【図２５】図２４でのファイル管理画面に対するリモコンとそのモード操作部の操作状態を示す図である。
【符号の説明】
【０２１２】
１  ＰＣの装置本体
２  制御部
３  入力部
４  記憶部
５  表示部
６  音声出力部
２０  ファイル管理画面
２１  ファイル領域
２１ａ，２１ｂ，２１ｃ  ファイル
２２  フォルダ領域
２２ａ，２２ｂ  フォルダ
２３  「コピー」モードアイコン
２４  「移動」モードアイコン
２５  文字「コピー」
２６  文字「移動」
２７  カーソル
２８  「アンドゥ」モードアイコン
２９  ウィンドウ
３０  ファンクションバー
３１  「コピー」モードバー
３２  「移動」モードバー
３３  登録マーク
４０  情報管理画面
４１ａ〜４１ｂ  記録情報のアイコン
４２  「見る」モードアイコン
４３  「保存する」モードアイコン
４４  「聞く」モードアイコン
４５  音声再生装置のアイコン
４６，４７  ＴＶ受像機のアイコン
６０  ＴＶ受像機の装置本体
６１  制御部
６２  赤外線受光部
６３  記憶部
６４  表示部
６５  音声出力部
６６  チューナ部
６７  接続部
６８  アンテナ
７０  リモコン
７１  記憶部
７２  制御部
７３  赤外線発行部
７４  入力部
８０  付帯装置
８１  制御部
８２  入力部
８３  記憶部
８４  表示部
８５  音声出力部
８６  接続部
９０  筐体
９１  電源キー
９２  放送方式選択キー
９３  数値キー
９４  モード操作部
９４ａ  ファイル領域スライド部
９４ｂ  フォルダ領域スライド部
９４ｃ  「見る」モードスライド部
９４ｄ  「コピー」モードスライド部
９４ｅ  「移動」モードスライド部
９４ｆ  「除去」モードスライド部
９４ｇ  連結スライド部
９４ｈ  「見る」モード操作部
９４ｉ  「コピー」モード操作部
９４ｊ  「移動」モード操作部
９４ｋ  ファイルスクロール部
９４ｌ  フォルダスクロール部
９４ｍ  フォルダアイコンスクロール部
９４ｎ  フォルダアイコンスクロール部
９４ｓｔ  ストップ片
９４ｙ  フォルダ選択スライド部
９４ｘ  次階層選択スライド部
９５  開口部
９６  タッチパネル
９７  センサ
９８  パネル基板
９９  メイン基板
１００  赤外線ＬＥＤ
１０１  指先
１０２  スイッチ
１１０Ａ〜１１０Ｆ  ファイル管理画面
１１１  ファイル領域
１１２  フォルダ領域
１１３  「見る」モードアイコン
１１４  「コピー」モードアイコン
１１５  「移動」モードアイコン
１１６，１１６ａ，１１６ｂ，１１７  カーソル
１１８  アイコン
１１９  「ファイル５」アイコン
１２０  操作モード領域
１２１  カーソル
１２２ａ  ファイル領域スライド部
１２２ｂ  フォルダ領域スライド部
１２２ｃ  操作モード領域スライド部
１２２ｄ  操作モードアイコン選択スライド部
１２３  カーソル
１２４  「ファイル４」アイコン
１２５ａ  ファイル領域スライド部
１２５ｂ  フォルダ領域スライド部
１２５ｃ  操作モード領域スライド部
１２５ｄ  操作モードアイコン選択スライド部
１２６  ファイル指定領域カーソル
１２７  フォルダ指定領域カーソル
１２８ａ〜１２８ｃ  ファイルアイコン選択ボタン
１２９ａ〜１２９ｃ  フォルダアイコン選択ボタン
１３０，１３１  フォルダ領域
１３２  カーソル
【図１】
2008090361.tif 000003
【図２】
2008090361.tif 000004
【図３】
2008090361.tif 000005
【図４】
2008090361.tif 000006
【図５】
2008090361.tif 000007
【図６】
2008090361.tif 000008
【図７】
2008090361.tif 000009
【図８】
2008090361.tif 000010
【図９】
2008090361.tif 000011
【図１０】
2008090361.tif 000012
【図１１】
2008090361.tif 000013
【図１２】
2008090361.tif 000014
【図１３】
2008090361.tif 000015
【図１４】
2008090361.tif 000016
【図１５】
2008090361.tif 000017
【図１６】
2008090361.tif 000018
【図１７】
2008090361.tif 000019
【図１８】
2008090361.tif 000020
【図１９】
2008090361.tif 000021
【図２０】
2008090361.tif 000022
【図２１】
2008090361.tif 000023
【図２２】
2008090361.tif 000024
【図２３】
2008090361.tif 000025
【図２４】
2008090361.tif 000026
【図２５】
2008090361.tif 000027